(57)【要約】  表示データを送信先に送信する際に画面に生じる不具合を低減する情報処理装置を提供すること。本発明は、ネットワーク２を介して他の装置と通信可能な情報処理装置１０ａａであって、当該情報処理装置が有する表示装置又は当該情報処理装置と接続され得る表示装置に画像を表示する表示手段１４ｂと、前記表示装置の画面に表示される画像である画像データを前記他の装置に送信する送信手段１１と、前記送信手段が前記他の装置に前記画像データを送信する場合、前記表示手段による前記表示装置への画像の表示に伴う処理の負荷を低減する低減手段１８と、を有することを特徴とする。
2015098841.tif 000002
【特許請求の範囲】
【請求項１】
ネットワークを介して他の装置と通信可能な情報処理装置であって、  当該情報処理装置が有する表示装置又は当該情報処理装置と接続され得る表示装置に画像を表示する表示手段と、  前記表示装置の画面に表示される画像である画像データを前記他の装置に送信する送信手段と、  前記送信手段が前記他の装置に前記画像データを送信する場合、前記表示手段による前記表示装置への画像の表示に伴う処理の負荷を低減する低減手段と、  を有することを特徴とする情報処理装置。
【請求項２】
前記表示手段は、前記処理の負荷が異なる複数の表示状態のいずれかで前記表示装置に画像を表示するものであり、  前記低減手段は、前記送信手段が前記他の装置に前記画像データを送信する場合、前記表示手段によって前記表示装置に表示される前記画像の表示状態を、第一の表示状態から前記第一の表示状態に伴う第一の負荷よりも低い第二の負荷を伴う第二の表示状態に切り替える、ことを特徴とする請求項１記載の情報処理装置。
【請求項３】
前記表示手段は、前記表示装置の画面の内に位置する表示領域に表示される画像を透過的に表示する透過表示と、前記表示領域に表示される該画像を透過させない非透過表示のいずれかで前記表示装置に画像を表示するものであり、  前記低減手段は、前記送信手段が前記他の装置に前記画像データを送信する場合、前記表示手段によって前記表示領域に表示される前記画像の表示状態を前記透過表示から前記非透過表示に切り替える、  ことを特徴とする請求項１又は２記載の情報処理装置。
【請求項４】
前記表示装置の画面の全体に表示される第１画像である第１画像データを取得するか、前記表示領域の第２画像の第２画像データを取得するかの設定を行う設定手段を有し、  前記低減手段は、前記設定手段が前記表示装置の画面の全体に表示される第１画像である第１画像データを取得する設定を行った場合、前記表示手段による画像の表示に伴う前記処理の負荷を低減せず、  前記設定手段が前記表示領域の画像の第２画像データを取得するという設定を行う場合、前記表示手段による画像の表示に伴う前記処理の負荷を低減する、  ことを特徴とする請求項３記載の情報処理装置。
【請求項５】
前記低減手段は、表示内容の一部が前記表示装置の画面の領域外に存在する場合、前記表示手段による前記表示装置への画像の表示に伴う前記処理の負荷を低減する、  ことを特徴とする請求項３記載の情報処理装置。
【請求項６】
前記低減手段は、前記表示手段による前記表示装置への画像の表示に伴う前記処理の負荷を低減した場合、該処理の負荷を低減した旨の情報を前記表示装置に表示する、  ことを特徴とする請求項１〜５いずれか１項記載の情報処理装置。
【請求項７】
前記表示装置に表示された画像である第３画像データを取得する取得手段をさらに有し、  前記低減手段は、前記送信手段が前記他の装置に前記第３画像データを送信する場合、前記表示手段による前記表示装置に表示された画像である前記第３画像データの前記取得手段による取得に伴う前記処理の負荷を低減することを特徴とする請求項１記載の情報処理装置。
【請求項８】
前記取得手段は、前記第３画像データにポインティングデバイスの画像を合成する取得手段であり、  前記低減手段は、前記送信手段が前記他の装置に前記第３画像データを送信する場合、前記他の装置に前記第３画像データを送信しない場合よりも、前記取得手段による前記画像データの取得頻度を低減させる、  ことを特徴とする請求項７記載の情報処理装置。
【請求項９】
前記取得手段は、取得した前記第３画像データにポインティングデバイスの画像を合成するものであり、  前記送信手段が前記第３画像データを前記他の装置に送信しない場合、前記取得手段は、取得した前記第３画像データにポインティングデバイスの画像を合成し、  前記送信手段が前記第３画像データを前記他の装置に送信する場合、前記取得手段は、取得した前記第３画像データにポインティングデバイスの画像を合成しない、ことを特徴とする請求項７又は８記載の情報処理装置。
【請求項１０】
ネットワークを介して複数の情報処理装置が通信可能な情報処理システムであって、  第１の情報処理装置は、  前記第１の情報処理装置が有する表示装置又は前記第１の情報処理装置と接続され得る表示装置に画像を表示する表示手段と、  前記表示装置の画面に表示される画像である画像データを第２の情報処理装置に送信する送信手段と、  前記送信手段が第２の情報処理装置に前記画像データを送信する場合、前記表示手段による前記表示装置への画像の表示に伴う処理の負荷を低減する低減手段と、を有し、  前記第２の情報処理装置は、  前記画像データを受信する画像データ受信手段と、  前記画像データを第２の表示装置に表示する画像データ表示手段と、  を有することを特徴とする情報処理システム。
【請求項１１】
前記表示手段は、前記処理の負荷が異なる複数の表示状態のいずれかで前記表示装置に画像を表示するものであり、  前記低減手段は、前記送信手段が前記第２の情報処理装置に前記画像データを送信する場合、前記表示手段によって前記表示装置に表示される画像の表示状態を、第一の表示状態から前記第一の表示状態に伴う第一の負荷よりも低い第二の負荷を伴う第二の表示状態に切り替える、ことを特徴とする請求項１０記載の情報処理システム。
【請求項１２】
前記表示手段は、前記表示装置の画面の内に位置する表示領域に表示される画像を透過的に表示する透過表示と、前記表示領域に表示される画像を透過させない非透過表示のいずれかで前記表示装置に画像を表示するものであり、  前記低減手段は、前記送信手段が前記第２の情報処理装置に前記画像データを送信する場合、前記表示手段によって前記表示領域に表示される画像の表示状態を前記透過表示から前記非透過表示に切り替える、  ことを特徴とする請求項１０又は１１記載の情報処理システム。
【請求項１３】
ネットワークを介して他の装置と通信可能な情報処理装置に、  当該情報処理装置が有する表示装置又は当該情報処理装置と接続され得る表示装置に画像を表示する表示ステップと、  前記表示装置の画面に表示される画像である画像データを前記他の装置に送信する送信ステップと、  前記送信ステップにより前記他の装置に前記画像データが送信される場合、前記表示ステップによる前記表示装置への画像の表示に伴う処理の負荷を低減する低減ステップと、  を実行させるプログラム。
【請求項１４】
前記表示ステップは、前記処理の負荷が異なる複数の表示状態のいずれかで前記表示装置に画像を表示するステップであり、  前記送信ステップにより前記他の装置に前記画像データを送信する場合、前記低減ステップは、前記表示ステップによって前記表示装置に表示される画像の表示状態を、第一の表示状態から前記第一の表示状態に伴う第一の負荷よりも低い第二の負荷を伴う第二の表示状態に切り替える、ことを特徴とする請求項１３記載のプログラム。
【請求項１５】
前記表示ステップは、前記表示装置の画面の内に位置する表示領域に表示される画像を透過的に表示する透過表示と、前記表示領域に表示される画像を透過させない非透過表示のいずれかで前記表示装置に画像を表示するステップであり、  前記送信ステップにより前記他の装置に前記画像データを送信する場合、前記低減ステップは、前記表示ステップによって前記表示領域に表示される画像の表示状態を前記透過表示から前記非透過表示に切り替える、  ことを特徴とする請求項１３又は１４記載のプログラム。
【発明の詳細な説明】
【技術分野】
【０００１】  本発明は、ネットワークを介して他の装置と通信可能な情報処理装置等に関する。
【背景技術】
【０００２】  インターネット等の通信ネットワークを介して遠隔地との間でテレビ会議等を行う伝送システムが普及しつつある。伝送端末はカメラが撮像した画像データとマイクが集音した音声データを宛先端末である伝送端末に送信し、互いの伝送端末が映像をディスプレイに表示し音声をスピーカから出力する。【０００３】  また、伝送端末を用いてテレビ会議を行う際に、テレビ会議の当事者は、当該伝送端末とは別にＰＣ(Personal Computer)等の外部入力装置を用い、この外部入力装置のディスプレイに表示された会議資料等の表示データを、会議の相手と共有することができる（例えば、特許文献１参照。）。
【発明の概要】
【発明が解決しようとする課題】
【０００４】  ところで、伝送システムでは、ユーザが操作する会議用の端末として専用の伝送端末が用いられる他に、ＰＣが用いられる場合がある。ＰＣは例えばテレビ会議用のプログラムがインストールされることで他のＰＣや専用端末とテレビ会議のための通信や処理を行うことができる。したがって、ユーザは専用端末がなくても自分の又は出先のＰＣにテレビ会議用のプログラムをインストールすることでテレビ会議に参加できる。【０００５】  しかしながら、ＰＣではＯＳ(Operating System)や他のアプリケーションが動作しているため、これらの動作によってＰＣの負荷が増大する場合がある。このため、ＰＣがテレビ会議用のプログラムを実行し、音声データ、画像データ、及び、表示データを宛先端末に送信すると、ＰＣが表示する画面がちらつくなどの症状が生じる場合があるという問題があった。【０００６】  本発明は、上記課題に鑑み、表示データを送信先に送信する際に画面に生じる不具合を低減する情報処理装置を提供することを目的とする。
【課題を解決するための手段】
【０００７】  本発明は、ネットワークを介して他の装置と通信可能な情報処理装置であって、当該情報処理装置が有する表示装置又は当該情報処理装置と接続され得る表示装置に画像を表示する表示手段と、前記表示装置の画面に表示される画像である画像データを前記他の装置に送信する送信手段と、前記送信手段が前記他の装置に前記画像データを送信する場合、前記表示手段による前記表示装置への画像の表示に伴う処理の負荷を低減する低減手段と、を有することを特徴とする。
【発明の効果】
【０００８】  表示データを送信先に送信する際に画面に生じる不具合を低減する情報処理装置を提供することができる。
【図面の簡単な説明】
【０００９】
【図１】本発明の一実施形態に係る伝送システムの全体構成を示す概略図である
【図２】本実施形態に係る伝送システムを構成する情報処理装置のハードウェア構成図の一例である。
【図３】本実施形態に係る伝送システムを構成する伝送管理システムのハードウェア構成図の一例である。
【図４】本実施形態の伝送システムを構成する情報処理装置、中継装置および伝送管理システムの機能ブロック図の一例である。
【図５Ａ】低解像度を説明するための図である。
【図５Ｂ】中解像度を説明するための図である。
【図５Ｃ】高解像度を説明するための図である。
【図６】変更品質管理テーブルの一例を示す図である。
【図７】中継装置管理テーブルの一例を示す図である。
【図８】端末認証管理テーブルの一例を示す図である。
【図９】端末管理テーブルの一例を示す図である。
【図１０】宛先リスト管理テーブルの一例を示す図である。
【図１１】セッション管理テーブルの一例を示す図である。
【図１２】品質管理テーブルの一例を示す図である。
【図１３】ディスプレイに表示されているデスクトップ画面の一例を示す図である。
【図１４】情報処理装置用プログラムが表示するログイン画面の一例を示す図である。
【図１５】情報処理装置用プログラムが表示するアプリケーションウィンドウ（メイン画面）の一例を示す図である。
【図１６】表示データの共有について説明する図の一例である。
【図１７】表示データへのマウスカーソルのアイコン画像の合成を模式的に説明する図の一例である。
【図１８】表示データへのマウスカーソルのアイコン画像の合成を模式的に説明する図の一例である。
【図１９】表示データ取得部が表示データにマウスカーソルのアイコン画像を合成する手順を示すフローチャート図の一例である。
【図２０】各中継装置から伝送管理システムに送信された各中継装置の稼働状態を表す状態情報を管理する処理の一例を示すシーケンス図である。
【図２１】各伝送端末間で通信を開始する準備段階の処理の一例を示すシーケンス図である。
【図２２】伝送端末がセッションを確立する処理の一例を示すシーケンス図である。
【図２３】外部入力装置が表示した表示データを会議の相手である伝送端末に表示させる処理の一例を示すシーケンス図である。
【図２４】表示データの取得手順を示すフローチャート図の一例である。
【図２５】ステップＳ３０で透過表示がＯＦＦに切り替えられる際に表示されるメッセージの一例を示す図である。
【図２６】透過表示がＯＦＦに切り替わった際のメッセージの表示例の別の一例を示す図である。
【図２７】表示データの取得手順を示すフローチャート図の一例である（実施例２）。
【図２８】表示データの取得手順を示すフローチャート図の一例である（実施例３）。
【図２９】デスクトップ領域外か否かの判断における座標系を説明する図の一例である。
【図３０】図２４のステップＳ３０「記憶した表示状態の透過表示がＯＮであればＯＦＦに切り替える」の処理と置き換えられる処理の手順を示すフローチャート図の一例である。
【図３１】情報処理装置又は伝送端末がカーナビゲーション装置として採用された場合のシステム構成図の一例を示す図である。
【図３２】カーナビゲーション装置の構成図の一例を示す。
【発明を実施するための形態】
【００１０】  以下、図面を参照して本発明の実施形態について説明する。しかしながら、本発明の技術的範囲が、本実施の形態に限定されるものではない。
【実施例１】
【００１１】  図１は、実施例１に係る伝送システム１の全体構成を示す概略図である。以下、図１を参照して本実施形態を説明する。実施例１では、情報処理装置２０の透過表示がＯＮに設定されている場合、音声データ、画像データ、及び、表示データを宛先端末に送信すると情報処理装置の表示負荷が増大しやすいことに着目し、透過表示をＯＦＦに切り替える情報処理装置２０について説明する。これにより、表示データの共有中に画面がちらつくなどの症状が生じることを抑制できる。【００１２】  一般に伝送システムには、伝送管理システムを介して一方の伝送端末から他方の伝送端末に一方向でコンテンツデータを通信するデータ提供システムや、伝送管理システムを介して複数の伝送端末間で情報や感情等を相互に伝達するコミュニケーションシステムが含まれる。このコミュニケーションシステムは、コミュニケーション管理システム（「伝送管理システム」に相当）を介して複数のコミュニケーション端末（「情報処理装置」及び「伝送端末」に相当）間で情報や感情等を相互に伝達するためのシステムであり、テレビまたはビデオ会議システム、テレビ電話システム、音声会議システム、音声電話システム、ＰＣ（Personal computer）画面共有システム等が例として挙げられる。【００１３】  本実施形態では、コミュニケーションシステムの一例としてのテレビまたはビデオ会議システムやインタラクティブホワイトボード（ＩＷＢ）システム、コミュニケーション管理システムの一例としてのテレビまたはビデオ会議管理システム、およびコミュニケーション端末の一例としてのテレビまたはビデオ会議端末を想定した上で、伝送システム、伝送管理システム、情報処理装置および伝送端末について説明する。すなわち、本発明の伝送端末および伝送管理システムは、テレビまたはビデオ会議システムに適用されるだけでなく、コミュニケーションシステム、または伝送システムにも適用される。なお、伝送システム１は、特許請求の範囲の情報処理システムの一例である。【００１４】  本実施形態の伝送システム１（図１参照）は、複数の情報処理装置２０ａａ，２０ａｂ，２０ｃａおよび２０ｃｂと，伝送端末１０ｂａ，１０ｂｂ，１０ｄａおよび１０ｄｂと、各伝送端末１０ｂａ，……，１０ｄｂ用の複数のディスプレイ１２０ｂａ，１２０ｂｂ，１２０ｄａおよび１２０ｄｂと、各伝送端末１０ｂａ，……，１０ｄｂにそれぞれ接続される複数のＰＣ等の外部入力装置４０ｂａ，４０ｂｂ，４０ｄａおよび４０ｄｂと、複数の中継装置３０ａ，３０ｂ，３０ｃおよび３０ｄと、伝送管理システム５０と、プログラム提供システム９０と、メンテナンスシステム１００とによって構築されている。情報処理装置２０ａａ，２０ａｂ，２０ｃａおよび２０ｃｂは、それぞれディスプレイ１２０ａａ，１２０ａｂ，１２０ｃａ，及び１２０ｃｂを有する。【００１５】  なお、以下の説明において特に明記しない限り、複数の情報処理装置２０ａａ…２０ｃｂのうち任意の情報処理装置を示すときは「情報処理装置２０」と表記し、複数の伝送端末１０ｂａ，……，１０ｄｂのうち任意の伝送端末を示すときは「伝送端末１０」と表記し、複数のディスプレイ１２０ａａ，……，１２０ｄｂのうち任意のディスプレイを示すときは「ディスプレイ１２０」と表記し、複数の外部入力装置４０ｂａ，……，４０ｄｂのうち任意の外部入力装置を示すときは「外部入力装置４０」と表記し、複数の中継装置３０ａ，……，３０ｄのうち任意の中継装置を示すときは「中継装置３０」と表記する。また、ディスプレイ１２０は伝送端末１０の表示装置の一例である。【００１６】  情報処理装置２０は他の情報処理装置２０又は伝送端末１０との間で、画像データ、音声データ等の送受信を行うようになっている。また、伝送端末１０は、他の伝送端末１０又は情報処理装置２０との間で、画像データ、音声データ等の送受信を行うようになっている。本実施形態では、画像データの画像が動画の場合について説明するが、動画だけでなく静止画であってもよい。また、画像データの画像に動画と静止画の両方が含まれていてもよい。中継装置３０は、各情報処理装置２０及び各伝送端末１０間で画像データおよび音声データの中継を行うためのものである。情報処理装置２０又は外部入力装置４０に表示された表示データが共有される場合、中継装置３０は表示データを中継する。伝送管理システム５０は、複数の情報処理装置２０、複数の伝送端末１０および複数の中継装置３０を一元的に管理するためのものである。【００１７】  外部入力装置４０は、伝送端末１０と接続され、外部入力装置４０の表示装置（後述するディスプレイ２１６）に表示されている画像を表す表示データを伝送端末１０に送信するようになっている。【００１８】  また、図１に示される複数のルータ７０ａ，７０ｂ，７０ｃ，７０ｄ，７０ｅおよび７０ｆは、画像データおよび音声データが送受信される最適な経路の選択を行うためのものである。以下の説明において特に明記しない限り、複数のルータ７０ａ，……，７０ｆのうち任意のルータを示すときは「ルータ７０」と表記する。また、プログラム提供システム９０は、ＨＤ(Hard Disk)（図示せず）を備えている。このＨＤには、情報処理装置２０に各種機能または各種手段を実現させるための情報処理装置用プログラム、伝送端末１０に各種機能または各種手段を実現させるための伝送端末用プログラム、中継装置３０に各種機能または各種手段を実現させるための中継装置用プログラム、および、伝送管理システム５０に各種機能または各種手段を実現させるための伝送管理用プログラムが格納されている。プログラム提供システム９０は、ＨＤに格納されている情報処理装置用プログラム、伝送端末用プログラム、中継装置用プログラムおよび伝送管理用プログラムを、それぞれ情報処理装置２０、伝送端末１０、中継装置３０および伝送管理システム５０に送信可能に構築されている。【００１９】  また、情報処理装置２０ａａおよび２０ａｂと中継装置３０ａとルータ７０ａとは、ＬＡＮ(Local Area Network)２ａによって通信可能に接続されており、伝送端末１０ｂａおよび伝送端末１０ｂｂと中継装置３０ｂとルータ７０ｂとは、ＬＡＮ２ｂによって通信可能に接続されている。ＬＡＮ２ａおよびＬＡＮ２ｂは、ルータ７０ｃが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。【００２０】  一方、情報処理装置２０ｃａおよび２０ｃｂと中継装置３０ｃとルータ７０ｄとは、ＬＡＮ２ｃによって通信可能に接続されており、伝送端末１０ｄａおよび１０ｄｂと中継装置３０ｄとルータ７０ｅとは、ＬＡＮ２ｄによって通信可能に接続されている。ＬＡＮ２ｃおよびＬＡＮ２ｄは、ルータ７０ｆが含まれた専用線２ｃｄによって通信可能に接続されており、所定の地域Ｂ内で構築されている。例えば、地域Ｂはアメリカであり、ＬＡＮ２ｃはニューヨークの事業所内で構築されており、ＬＡＮ２ｄはワシントンＤ．Ｃ．の事業所内で構築されている。地域Ａと地域Ｂは、それぞれルータ７０ｃ，７０ｆからインターネット２ｉを介して通信可能に接続されている。【００２１】  また、伝送管理システム５０、プログラム提供システム９０およびメンテナンスシステム１００は、インターネット２ｉを介して伝送端末１０および中継装置３０と通信可能に接続されている。伝送管理システム５０、プログラム提供システム９０およびメンテナンスシステム１００は、地域Ａまたは地域Ｂに設置されていてもよいし、これら以外の地域に設置されていてもよい。【００２２】  本実施形態では、ＬＡＮ２ａ、ＬＡＮ２ｂ、専用線２ａｂ、インターネット２ｉ、専用線２ｃｄ、ＬＡＮ２ｃおよびＬＡＮ２ｄによって通信ネットワーク２が構築されている。【００２３】  また、図１において、各情報処理装置２０、各伝送端末１０、各中継装置３０、伝送管理システム５０、各ルータ７０、プログラム提供システム９０およびメンテナンスシステム１００の下に表記されている４組の数字（かっこ付き）は、一般的なＩＰｖ４ (Internet Protocol version 4) におけるＩＰアドレスを簡易的に示している。例えば、情報処理装置２０ａａのＩＰアドレスは「１．２．１．３」である。また、ＩＰｖ４ではなくＩＰｖ６を用いてもよいが、説明を簡略化するため、ＩＰｖ４を用いて説明する。【００２４】  ＜＜実施形態のハードウェア構成＞＞  次に、本実施形態のハードウェア構成を説明する。【００２５】  図２は、本実施形態に係る伝送システム１を構成する情報処理装置２０のハードウェア構成図である。図２に示されるように、情報処理装置２０は、情報処理装置２０全体の動作を制御するＣＰＵ(Central Processing Unit)１０１と、ＲＯＭ(Read Only Memory)１０２と、ＣＰＵ１０１のワークエリアとして使用されるＲＡＭ(Random Access Memory)１０３と、画像データや音声データ等の各種データを記憶するフラッシュメモリ１０４と、ＣＰＵ１０１の制御に従って情報処理装置用プログラム１１９を記憶したフラッシュメモリ１０４に対する各種データの読み出しおよび書き込みを制御するＳＳＤ (Solid State Drive)１０５と、フラッシュメモリ等の記録メディア１０６に対するデータの読み出しまたは書き込み（記憶）を制御するメディアドライブ１０７と、ユーザの操作を受け付ける操作ボタン１０８と、伝送端末１０の電源のＯＮ／ＯＦＦを切り換えるための電源スイッチ１０９と、後述の通信ネットワーク２を利用してデータ伝送をするためのネットワークＩ／Ｆ１１１と、ＣＰＵ１０１の制御に従って被写体を撮像し画像データを得るカメラ１１２と、このカメラ１１２の��動を制御する撮像素子Ｉ／Ｆ１１３と、音声を入力するマイク１１４と、音声を出力するスピーカ１１５と、ＣＰＵ１０１の制御に従ってマイク１１４およびスピーカ１１５との間で音声信号の入出力を処理する音声入出力Ｉ／Ｆ１１６と、ＣＰＵ１０１の制御に従ってディスプレイ１２０に画像データを伝送するディスプレイＩ／Ｆ１１７と、外部の装置との間で各種データを送受信する外部装置Ｉ／Ｆ１１８と、上記各構成要素を相互に電気的に接続するためのアドレスバスやデータバス等のバスライン１１０を備えている。【００２６】  なお、記録メディア１０６は、情報処理装置２０に対して着脱自在な構成となっている。また、ＣＰＵ１０１の制御に従ってデータの読み出しまたは書き込みを行う不揮発性メモリであれば、フラッシュメモリ１０４に限らずＥＥＰＲＯＭ（Electrically Erasable and Programmable ROM）等を用いてもよい。また、カメラ１１２は、光を電荷に変換して被写体の画像（映像）を電子化する固体撮像素子、例えば、ＣＣＤ(Charge Coupled Device) 素子、ＣＭＯＳ（Complementary Metal Oxide Semiconductor）素子等を備えている。また、ＳＳＤ１０５以外にＨＤＤ（Hard Disk Drive)を用いてもよい。【００２７】  また、ディスプレイ１２０は、表示データ、及び、被写体の画像や操作用アイコン等を表示する液晶素子や有機ＥＬ素子等を用いて構成され、外付けであっても内蔵されていてもよい。【００２８】  また、上記情報処理装置用プログラムは、インストール可能な形式または実行可能な形式のファイルで、上記記録メディア１０６等のコンピュータで読み取り可能な記録媒体に記録して流通させるようにしてもよい。【００２９】  なお、カメラ１１２、マイク１１４、スピーカ１１５は必ずしも内蔵型の必要はなく、外付けにしてもよい。【００３０】  また、伝送端末１０は、情報処理装置２０と同様のハードウェア構成を有しているため、その説明を省略する。但し、ＳＳＤ１０５には、伝送端末１０を制御するための伝送端末用プログラムが格納されている。【００３１】  情報処理装置２０及び伝送端末１０は、ＰＣ、スマートフォン、タブレット端末、携帯電話などであってもよい。【００３２】  図３は、本実施形態に係る伝送システム１を構成する伝送管理システム５０のハードウェア構成図である。伝送管理システム５０は、伝送管理システム５０全体の動作を制御するＣＰＵ２０１と、伝送管理用プログラムを記憶したＲＯＭ２０２と、ＣＰＵ２０１のワークエリアとして使用されるＲＡＭ２０３と、各種データを記憶するＨＤ(Hard Disk)２０４と、ＣＰＵ２０１の制御に従ってＨＤ２０４に対する各種データの読み出しおよび書き込みを制御するＨＤＤ２０５と、フラッシュメモリ等の記録メディア２０６に対するデータの読み出しおよび書き込み（記憶）を制御するメディアドライブ２０７と、カーソル、メニュー、ウィンドウ、文字、画像等の各種情報をディスプレイ２１６に表示させるためのディスプレイＩ／Ｆ２０８と、後述の通信ネットワーク２を利用してデータ伝送をするためのネットワークＩ／Ｆ２０９と、文字、数値、各種指示等を入力するための複数のキーを備えたキーボード２１１と、各種指示の選択や実行、処理対象の選択、マウスカーソルなどのポインティングデバイスの移動等を行うマウス２１２と、着脱可能な記録媒体の一例としてのＣＤ−ＲＯＭ(Compact Disc Read Only Memory)２１３に対するデータの読み出しおよび書き込みを制御するＣＤ−ＲＯＭドライブ２１４と、外部の装置との間で情報を送受信するための外部装置Ｉ／Ｆ２１５と、上記各構成要素間を相互に電気的に接続するためのアドレスバスやデータバス等のバスライン２１０とを備えている。なお、ディスプレイ２１６は、外部入力装置４０の表示装置の一例でもある。【００３３】  また、上記伝送管理用プログラムは、インストール可能な形式または実行可能な形式のファイルで、上記記録メディア２０６やＣＤ−ＲＯＭ２１３等のコンピュータで読み取り可能な記録媒体に記録して流通させるようにしてもよい。上記伝送管理用プログラムはＨＤ２０４に記憶されていてもよい。【００３４】  また、外部入力装置４０は、伝送管理システム５０と同様のハードウェア構成を有しているため、その説明を省略する。但し、ＲＯＭ２０２には、外部入力装置４０を制御するための外部入力装置用プログラムが格納されている。この場合も、外部入力装置用プログラムは、インストール可能な形式または実行可能な形式のファイルで、上記記録メディア２０６やＣＤ−ＲＯＭ２１３等のコンピュータで読み取り可能な記録媒体に記録して流通させるようにしてもよい。【００３５】  また、中継装置３０は、伝送管理システム５０と同様のハードウェア構成を有しているため、その説明を省略する。但し、ＲＯＭ２０２には、中継装置３０を制御するための中継装置用プログラムが格納されている。この場合も、中継装置用プログラムは、インストール可能な形式または実行可能な形式のファイルで、上記記録メディア２０６やＣＤ−ＲＯＭ２１３等のコンピュータで読み取り可能な記録媒体に記録して流通させるようにしてもよい。【００３６】  また、プログラム提供システム９０は、伝送管理システム５０と同様のハードウェア構成を有しているため、その説明を省略する。但し、ＲＯＭ２０２には、プログラム提供システム９０を制御するためのプログラム提供システム用プログラムが格納されている。この場合も、プログラム提供システム用プログラムは、インストール可能な形式または実行可能な形式のファイルで、上記記録メディア２０６やＣＤ−ＲＯＭ２１３等のコンピュータで読み取り可能な記録媒体に記録して流通させるようにしてもよい。なお、プログラム提供システム用プログラムは、ＲＯＭ２０２ではなくＨＤ２０４に格納されるようにしてもよい。【００３７】  また、メンテナンスシステム１００は、伝送管理システム５０と同様のハードウェア構成を有しているため、その説明を省略する。このメンテナンスシステム１００は、伝送端末１０、中継装置３０、伝送管理システム５０およびプログラム提供システム９０のうちの少なくとも１つの維持、管理または保守を行うためのコンピュータである。例えば、メンテナンスシステム１００が国内に設置され、伝送端末１０、中継装置３０、伝送管理システム５０またはプログラム提供システム９０が国外に設置されている場合、メンテナンスシステム１００は、通信ネットワーク２を介して遠隔的に、伝送端末１０、中継装置３０、伝送管理システム５０���よびプログラム提供システム９０のうちの少なくとも１つの維持、管理、保守等のメンテナンスを行うようになっている。【００３８】  また、メンテナンスシステム１００は、通信ネットワーク２を介さずに、伝送端末１０、中継装置３０、伝送管理システム５０およびプログラム提供システム９０のうちの少なくとも１つにおける機種番号、製造番号、販売先、保守点検または故障履歴の管理等のメンテナンスを行うようにしてもよい。【００３９】  なお、上記の着脱可能な記録媒体の他の形態としては、ＣＤ−Ｒ(Compact Disc Recordable)、ＤＶＤ(Digital Versatile Disk)、ブルーレイディスク等のコンピュータで読み取り可能な記録媒体に格納して提供するように構成してもよい。【００４０】  ＜＜実施形態の機能構成＞＞  次に、本実施形態の機能構成について、図４〜図１２を参照しながら説明する。図４は、本実施形態の伝送システム１を構成する情報処理装置２０、中継装置３０および伝送管理システム５０の機能ブロック図である。図４に示す例では、情報処理装置２０と、中継装置３０と、伝送管理システム５０とが、通信ネットワーク２を介してデータ通信することができるように接続されている。  なお、図１に示される、伝送端末１０、外部入力装置４０、プログラム提供システム９０およびメンテナンスシステム１００は、図４では図示を省略している。【００４１】  図５は、画像データの画質を説明するための図である。また、図６は変更品質管理テーブルの一例、図７は中継装置管理テーブルの一例、図８は端末認証管理テーブルの一例、図９は端末管理テーブルの一例、図１０は宛先リスト管理テーブルの一例、図１１はセッション管理テーブルの一例、図１２は品質管理テーブルの一例、をそれぞれ示す図である。【００４２】  ＜伝送端末の機能構成＞  図４に示されるように、情報処理装置２０は、送受信部１１と、操作入力受付部１２と、ログイン要求部１３と、撮像部１４ａと、画像表示制御部１４ｂと、表示データ取得部１４ｃと、音声入力部１５ａと、音声出力部１５ｂと、遅延検出部１７と、透過表示制御部１８と、記憶・読出処理部１９と、解像度取得部２１ａと、解像度判定部２１ｂと、解像度選択部２１ｃと、解像度変更部２１ｄとを有している。これら各機能部は、図２に示される各構成要素のいずれかが、ＲＯＭ１０２に格納されているプログラムに従ったＣＰＵ１０１からの命令により動作することで実現される機能または手段である。また、伝送端末１０は、図２に示されるＳＳＤ１０５によって構築される記憶部１０００を有している。【００４３】  ＜伝送端末の各機能部＞  次に、情報処理装置２０の各機能部について詳細に説明する。情報処理装置２０の送受信部１１は、図２に示されるネットワークＩ／Ｆ１１１によって実現され、通信ネットワーク２を介して他の情報処理装置２０、伝送端末１０、中継装置３０および伝送管理システム５０と各種データの送受信を行う。操作入力受付部１２は、図２に示される操作ボタン１０８および電源スイッチ１０９によって実現され、ユーザによる各種入力を受け付ける。例えば、ユーザが、情報処理装置２０の本体の電源スイッチをＯＮにすると、操作入力受付部１２が電源ＯＮを受け付けて、電源をＯＮにする。また���操作入力受付部１２は、ユーザによって操作入力された解像度を表す解像度情報を受け付ける。【００４４】  ログイン要求部１３は、図２に示されるＣＰＵ１０１からの命令によって実現され、ユーザの操作を契機として、送受信部１１から通信ネットワーク２を介して伝送管理システム５０に、ログインを要求する旨を示すログイン要求情報、および情報処理装置２０の現時点のＩＰアドレスを自動的に送信する。【００４５】  撮像部１４ａは、図２に示されるカメラ１１２および撮像素子Ｉ／Ｆ１１３によって実現され、被写体を撮像した画像を表す画像データを生成する。画像表示制御部１４ｂは、図２に示されるディスプレイＩ／Ｆ１１７によって実現され、画像データをレンダリングし、画像データが表す画像をディスプレイ１２０に表示させるための制御を行う。表示データ取得部１４ｃは、ディスプレイ１２０に表示されている画像を表す画像データを取得する。本実施形態ではカメラ１１２で撮像した画像を表すデータを「画像データ」という。また、ディスプレイ１２０に表示されている画像であり表示データ取得部１４ｃにより取得されたデータを「表示データ」という。なお、画像データおよび表示データは、例えばＪＰＥＧ(Joint Photographic Experts Group)、Ｂｉｔｍａｐ、ＧＤＩ(Graphics Device Interface)等の形式のデータである。【００４６】  音声入力部１５ａは、図２に示されるマイク１１４および音声入出力Ｉ／Ｆ１１６によって実現され、ユーザの音声を入力し、この音声を音声信号に変換することで、音声信号に係る音声データを出力する。音声出力部１５ｂは、図２に示されるスピーカ１１５および音声入出力Ｉ／Ｆ１１６によって実現され、音声データに係る音声信号を音声に変換して出力する。【００４７】  遅延検出部１７は、図２に示されるＣＰＵ１０１からの命令に従って実現され、他の情報処理装置２０又は伝送端末１０から中継装置３０を介して送られてくる画像データまたは音声データの遅延時間（ｍｓ）を検出する。また、記憶・読出処理部１９は、図２に示されるＳＳＤ１０５によって実行され、記憶部１０００に各種データを記憶したり、記憶部１０００に記憶された各種データを読み出したりする処理を行う。【００４８】  解像度取得部２１ａは、情報処理装置２０に接続されているディスプレイ１２０の表示可能な解像度を取得する。解像度判定部２１ｂは、解像度取得部２１ａによって取得された表示可能な解像度に、画像データの伝送に用いる基準アスペクト比以外の解像度を含んでいるか否かを判定する。解像度選択部２１ｃは、解像度判定部２１ｂが行う判定の結果に基づいて上記表示可能な解像度の中から基準アスペクト比以外の解像度または基準アスペクト比の解像度を選択する。解像度変更部２１ｄは、ディスプレイ１２０の解像度を、操作入力受付部１２によって受け付けられた解像度情報が表す解像度に変更する。ここで、解像度とは、表示画面上の長さ当たりに存在する画素数を表し、縦方向の解像度および横方向の解像度が含まれる。  透過表示制御部１８は、画像表示制御部１４ｂがディスプレイ１２０に出力する画面の透過表示のＯＮとＯＦＦの切り替えを制御する。透過表示とは、ウィンドウ（表示部品の一例である）の下側の画像を透過的に表示することをいう。すなわち、ウィンドウの一部又は全体が半透明となるように画像処理が行われる。透過度は固定でもユーザが設定可能でもよい。  透過表示により、ユーザはウィンドウとウィンドウの重複部分がある場合に下側のウィンドウを把握しやすくなり、ウィンドウの下側のデスクトップウィンドウを把握しやすくなる。また、透過表示により、デスクトップ画面のデザイン性が向上する。【００４９】  なお、実施例１では、透過表示の負荷が２段階のＯＮ／ＯＦＦでのみ切り替わる場合について説明するが、負荷が３段階以上に異なる透過表示を情報処理装置が制御することが可能な場合、負荷が異なる透過状態に段階的に切り替えてもよい。【００５０】  記憶部１０００には、情報処理装置２０を識別するための端末ＩＤ(Identification)およびパスワード、画像データおよび音声データ、各種データを送信する中継装置３０を識別する中継装置ＩＤ、宛先端末のＩＰアドレス等が記憶される。端末ＩＤ及びパスワードは情報処理装置２０のユーザが情報処理装置２０に入力したもの又は情報処理装置用プログラム１１９が保持するものである。また、記憶部１０００には、情報処理装置用プログラム１１９が格納されている。また、記憶部１０００は、情報処理装置２０が出力する表示データの解像度を表す解像度情報が格納されている。【００５１】  また、本実施形態における端末ＩＤおよび後述の中継装置ＩＤは、それぞれ情報処理装置２０および中継装置３０を一意に識別するために使われる言語、文字、記号または各種のしるし等の識別情報を示す。また、端末ＩＤおよび中継装置ＩＤは、上記言語、文字、記号および各種のしるしのうち少なくとも２つが組み合わされた識別情報であってもよい。また、以下の記載において、「要求元端末」は、テレビ会議の開始を要求する情報処理装置２０に相当し、「宛先端末」は、要求先である宛先としての情報処理装置２０又は伝送端末１０に相当する。【００５２】  ＜中継装置の機能構成＞  次に、中継装置３０の機能（または手段）について説明する。中継装置３０は、図４に示されるように送受信部３１と、状態検知部３２と、データ品質確認部３３と、変更品質管理部３４と、データ品質変更部３５と、記憶・読出処理部３９とを有している。これら各機能部は、図４に示される各構成要素のいずれかが、ＲＯＭ２０２に記憶されているプログラムに従ったＣＰＵ２０１からの命令によって動作することで実現される機能または手段である。また、中継装置３０は、図３に示されるＲＯＭ２０２、ＲＡＭ２０３またはＨＤＤ２０５のいずれかにより構築される記憶部３０００を有している。【００５３】  《変更品質管理テーブル》  記憶部３０００には、図６に示されるような変更品質管理テーブル３０１ｔによって構成される変更品質管理ＤＢ３００１が構築されている。変更品質管理テーブル３０１ｔでは、画像データの中継先としての情報処理装置２０又は伝送端末１０のＩＰアドレス、およびこの中継先に中継装置３０が中継する画像データの画質が関連付けられて管理される。【００５４】  ここで、本実施形態の伝送システム１で扱われる画像データの画像の解像度について説明する。図５Ａ〜図５Ｃを参照すると、図５Ａに示される��うに横方向が１６０画素、縦方向が１２０画素からなり、ベース画像となる低解像度の画像と、図５Ｂに示されるように横方向が３２０画素、縦方向が２４０画素からなる中解像度の画像と、図５Ｃに示されるように横方向が６４０画素、縦方向が４８０画素からなる高解像度の画像とがある。このうち、狭帯域経路を経由する場合には、ベース画像となる低解像度の画像データのみからなる低画質の画像データが中継される。【００５５】  帯域が比較的広い場合には、ベース画像となる低解像度の画像データと中解像度の画像データとからなる中画質の画像データが中継される。また、帯域が非常に広い場合には、ベース画像となる低解像度の画像データと中解像度の画像データと高解像度の画像データとからなる高画質の画像データが中継される。【００５６】  図６に示される変更品質管理テーブル３０１ｔにおいて、例えば、中継装置３０がＩＰアドレス「１．３．２．４」の宛先端末である伝統端末１０ｄｂ（図１参照）に対して画像データを中継する場合には、この中継される画像データの画質（画像の品質）は「高品質」である。【００５７】  ＜中継装置の各機能部＞  次に、中継装置３０の各機能部について詳細に説明する。なお、以下の記載では、中継装置３０の各機能部を説明するにあたって、図３に示される各構成要素のうち中継装置３０の各機能部を実現させるための主な構成要素との関係についても説明する。【００５８】  中継装置３０の送受信部３１は、図３に示されるネットワークＩ／Ｆ２０９によって実現され、通信ネットワーク２を介して情報処理装置２０、伝送端末１０、他の中継装置３０および伝送管理システム５０との間で各種データの送受信を行う。状態検知部３２は、図３に示されるＣＰＵ２０１からの命令によって実現され、この状態検知部３２を有する中継装置３０の稼働状態を検知する。稼働状態としては、「ＯＮライン」、「ＯＦＦライン」「通話中」または「故障中」の状態がある。【００５９】  データ品質確認部３３は、図３に示されるＣＰＵ２０１からの命令によって実現され、情報処理装置２０や宛先端末１０のＩＰアドレスを検索キーとして、変更品質管理テーブル３０１ｔを検索し、当該ＩＰアドレスに対応した中継される画像データの画質を抽出することで、中継される画像データの画質を確認する。変更品質管理部３４は、図３に示されるＣＰＵ２０１からの命令によって実現され、伝送管理システム５０から送信される、後述の品質情報に基づいて、変更品質管理ＤＢ３００１の内容を変更する。例えば、端末ＩＤ「０１ａａ」の情報処理装置２０ａａと、端末ＩＤ「０１ｄｂ」の伝送端末１０ｄｂとの間で高画質の画像データを送受信することによってテレビ会議を行っている最中に、他のテレビ会議を行う外部入力装置４０ｂｂと情報処理端末２０ｃａが通信ネットワーク２を介してテレビ会議を開始することによって、伝送端末１０ｄｂで画像データの受信の遅延が生じた場合には、中継装置３０は今まで中継していた画像データの画質を、高画質から中画質に下げる必要がある。このような場合に、中画質を示す品質情報に基づいて、中継装置３０が中継する画像データの画質を高画質から中画質に下げるように、変更品質管理ＤＢ３００１��内容が変更される。【００６０】  データ品質変更部３５は、図３に示されるＣＰＵ２０１からの命令によって実現され、要求元端末から送られてきた画像データの画質を、上記変更された変更品質管理ＤＢ３００１の内容に基づいて変更する。記憶・読出処理部３９は、図３に示されるＨＤＤ２０５によって実現され、記憶部３０００に各種データを記憶したり、記憶部３０００に記憶された各種データを読み出したりする処理を行う。【００６１】  ＜伝送管理システムの機能構成＞  次に、伝送管理システム５０の機能（または手段）について説明する。伝送管理システム５０は、図４に示されるように送受信部５１と、端末認証部５２と、状態管理部５３と、端末抽出部５４と、端末状態取得部５５と、セッション管理部５７と、品質決定部５８と、記憶・読出処理部５９と、遅延時間管理部６０とを有している。これら各機能部は、図３に示される各構成要素のいずれかが、ＲＯＭ２０２に記憶されているプログラムに従ったＣＰＵ２０１からの命令によって動作することで実現される機能または手段である。また、伝送管理システム５０は、図３に示されるＲＯＭ２０２、ＲＡＭ２０３またはＨＤＤ２０５によって構築される記憶部５０００を有している。【００６２】  《中継装置管理テーブル》  記憶部５０００には、図７に示されるような中継装置管理テーブル５０１ｔによって構成される中継装置管理ＤＢ５００１が構築されている。この中継装置管理テーブル５０１ｔでは、各中継装置３０の中継装置ＩＤ毎に、各中継装置３０の稼働状態、稼働状態が示される状態情報が伝送管理システム５０で受信された受信日時、中継装置３０のＩＰアドレスおよび中継装置３０における最大データ伝送速度（Ｍｂｐｓ）が関連付けられて管理される。例えば、図７に示される中継装置管理テーブル５０１ｔにおいて、中継装置ＩＤが「１１１ａ」の中継装置３０ａ（図１参照）は、稼働状態が「ＯＮライン」であり、伝送管理システム５０で状態情報が受信された日時が「２００９年１１月１０日の１３時００分」であり、この中継装置３０ａのＩＰアドレスが「１．２．１．２」であり、この中継装置３０ａにおける最大データ伝送速度が１００Ｍｂｐｓであることが示されている。【００６３】  《端末認証管理テーブル》  また、記憶部５０００には、図８に示されるような端末認証管理テーブル５０２ｔによって構成される端末認証管理ＤＢ５００２が構築されている。この端末認証管理テーブル５０２ｔでは、伝送管理システム５０によって管理される全ての伝送端末１０の各端末ＩＤに対して、各パスワードが関連付けられて管理される。例えば、図８に示される端末認証管理テーブル５０２ｔにおいて、情報処理装置２０ａａの端末ＩＤは「０１ａａ」で、パスワードは「ａａａａ」であることが示されている。【００６４】  《端末管理テーブル》  また、記憶部５０００には、図９に示されるような端末管理テーブル５０３ｔによって構成される端末管理ＤＢ５００３が構築されている。この端末管理テーブル５０３ｔでは、各情報処理装置２０，各伝送端末１０の端末ＩＤ毎に、各情報処理装置２０、各伝送端末１０の稼働状態、後述のログイン要求情報が伝送管理システム５０で受信された受信日時��よび伝送端末１０のＩＰアドレスが関連付けられて管理される。例えば、図９に示される端末管理テーブル５０３ｔにおいて、端末ＩＤが「０１ａａ」の情報処理装置２０ａａは、稼働状態が「ＯＮライン」であり、伝送管理システム５０でログイン要求情報が受信された日時が「２００９年１１月１０日の１３時４０分」であり、この情報処理装置２０ａａのＩＰアドレスが「１．２．１．３」であることが示されている。【００６５】  《宛先リスト管理テーブル》  また、記憶部５０００には、図１０に示されるような宛先リスト管理テーブル５０４ｔによって構成される宛先リスト管理ＤＢ５００４が構築されている。この宛先リスト管理テーブル５０４ｔでは、テレビ会議の開始を要求する要求元端末の端末ＩＤに対して、宛先端末の候補として登録されている宛先端末の端末ＩＤが全て関連付けられて管理される。例えば、図１０に示される宛先リスト管理テーブル５０４ｔにおいて、端末ＩＤが「０１ａａ」である情報処理装置２０ａａからテレビ会議の開始を要求することができる宛先端末の候補は、端末ＩＤが「０１ａｂ」の情報処理装置２０ａｂ、端末ＩＤが「０１ｂａ」の伝送端末１０ｂａ、および端末ＩＤが「０１ｄｂ」の伝送端末１０ｄｂの３つであることが示されている。この宛先端末の候補は、要求元端末から伝送管理システム５０に対する追加または削除の要請により、追加または削除されることで更新される。【００６６】  《セッション管理テーブル》  また、記憶部５０００には、図１１に示されるようなセッション管理テーブル５０５ｔによって構成されるセッション管理ＤＢ５００５が構築されている。このセッション管理テーブル５０５ｔでは、中継装置３０を選択するためのセッションの実行に用いられる選択用セッションＩＤ毎に、中継装置３０の中継装置ＩＤ、要求元の端末ＩＤ、宛先の端末ＩＤ、遅延時間（ｍｓ）、および遅延情報の受信日時が関連付けられて管理される。ここで、遅延時間（ｍｓ）とは、宛先端末において画像データが受信される際の受信の遅延時間であり、遅延情報の受信日時とは、この遅延時間が示される遅延情報を宛先端末から送信されて伝送管理システム５０で受信された日時である。【００６７】  例えば、図１１に示されるセッション管理テーブル５０５ｔにおいて、選択用セッションＩＤ「ｓｅ１」を用いて実行されたセッションで選択された中継装置３０ａ（中継装置ＩＤ「１１１ａ」）は、端末ＩＤが「０１ａａ」の情報処理装置２０ａａ（図１参照）と、端末ＩＤが「０１ｄｂ」の伝送端末１０ｄｂとの間で、画像データおよび音声データを中継していることが示されている。また、伝送端末１０ｄｂにおいて「２００９年１１月１０日の１４時００分」時点における画像データの遅延時間が２００（ｍｓ）であることが示されている。【００６８】  なお、２つの伝送端末１０の間でテレビ会議を行う場合には、上記宛先端末ではなく要求元端末から送信されてきた遅延情報に基づいて、遅延情報の受信日時を管理してもよい。但し、３つ以上のコミュニケーション端末の間でテレビ会議を行う場合には、画像データおよび音声データの受信側のコミュニケーション端末から送信されてきた遅延情報に基づいて、遅延情報の受信日時を��理する。【００６９】  《品質管理テーブル》  また、記憶部５０００には、図１２に示されるような品質管理テーブル５０７ｔによって構成される品質管理ＤＢ５００７が構築されている。この品質管理テーブル５０７ｔでは、要求元端末または宛先端末における画像データの遅延時間（ｍｓ）に応じて、中継装置３０で中継させる画像データの画質（画像の品質）が関連付けられて管理される。【００７０】  ＜伝送管理システムの各機能部＞  次に、伝送管理システム５０の各機能部について詳細に説明する。なお、以下の記載では、伝送管理システム５０の各機能部を説明するにあたって、図３に示される各構成要素のうち、伝送管理システム５０の各機能部を実現させるための主な構成要素との関係についても説明する。【００７１】  まず、送受信部５１は、図３に示されるネットワークＩ／Ｆ２０９によって実行され、通信ネットワーク２を介して情報処理装置２０、伝送端末１０、中継装置３０または他のシステム（プログラム提供システム９０と、メンテナンスシステム１００）との間で各種データの送受信を行う。端末認証部５２は、送受信部５１を介して受信されたログイン要求情報に含まれている端末ＩＤおよびパスワードを検索キーとし、記憶部５０００の端末認証管理ＤＢ５００２を検索し、端末認証管理ＤＢ５００２に同一の端末ＩＤおよびパスワードが管理されているかを判断することによって端末認証を行う。状態管理部５３は、ログイン要求してきた要求元端末の稼働状態を管理すべく、端末管理テーブル５０３ｔに、この要求元端末の端末ＩＤ、要求元端末の稼働状態、伝送管理システム５０でログイン要求情報が受信された受信日時、および要求元端末のＩＰアドレスを関連付けて記憶して管理する。【００７２】  端末抽出部５４は、ログイン要求した要求元端末の端末ＩＤをキーとして、宛先リスト管理テーブル５０４ｔを検索し、要求元端末と通信することができる宛先端末の候補の端末ＩＤを読み出すことで、端末ＩＤを抽出する。また、端末抽出部５４は、ログイン要求してきた要求元端末の端末ＩＤをキーとして、宛先リスト管理テーブル５０４ｔを検索し、上記要求元端末の端末ＩＤを宛先端末の候補として登録している他の要求元端末の端末ＩＤも抽出する。【００７３】  端末状態取得部５５は、端末抽出部５４によって抽出された宛先端末の候補の端末ＩＤを検索キーとして、端末管理テーブル５０３ｔを検索し、端末抽出部５４によって抽出された端末ＩＤ毎に稼働状態を読み出す。これにより、端末状態取得部５５は、ログイン要求してきた要求元端末と通信することができる宛先端末の候補の稼働状態を取得することができる。また、端末状態取得部５５は、端末抽出部５４によって抽出された端末ＩＤを検索キーとして、端末管理テーブル５０３ｔを検索し、ログイン要求してきた要求元端末の稼働状態も取得する。【００７４】  セッション管理部５７は、記憶部５０００のセッション管理ＤＢ５００５（図１１のセッション管理テーブル５０５ｔ）に、生成された選択用セッションＩＤ、要求元端末の端末ＩＤおよび宛先端末の端末ＩＤを関連付けて記憶して管理する。また、セッション管理部５７は、セッション管理テーブル５０５ｔに中継装置３０の中継���置ＩＤを記憶して管理する。【００７５】  品質決定部５８は、上記遅延時間を検索キーとして、品質管理テーブル５０７ｔを検索し、対応する画像データの画質を抽出することで、中継装置３０に中継させる画像データの画質を決定する。記憶・読出処理部５９は、図３に示されるＨＤＤ２０５によって実行され、記憶部５０００に各種データを記憶したり、記憶部５０００に記憶された各種データを読み出したりする処理を行う。遅延時間管理部６０は、上記宛先端末のＩＰアドレスを検索キーとして、端末管理テーブル５０３ｔを検索することで、対応する端末ＩＤを抽出し、さらにセッション管理テーブル５０５ｔにおいて、上記抽出した端末ＩＤが含まれるレコードにおける遅延時間のフィールド部分に、上記遅延情報で示される遅延時間を記憶して管理する。【００７６】  ＜画面の表示例＞  図１３は、ディスプレイ１２０に表示されているデスクトップ画面の一例を示す図である。このデスクトップ画面では２つのウィンドウＡ，Ｂが表示されている。１つは任意のアプリケーションが作成して表示したウィンドウＡであり、もう１つは情報処理装置用プログラム１１９の画像表示制御部１４ｂが作成して表示したウィンドウＢである。なお、情報処理装置用プログラム１１９は、デスクトップ全体も１つのウィンドウとして扱う。以下、アプリケーションが作成するウィンドウを「アプリケーションウィンドウ」、デスクトップ全体を「デスクトップウィンドウ」、区別しない場合は単に「ウィンドウ」という。【００７７】  情報処理装置２０がディスプレイ１２０に表示しているウィンドウはＯＳにより管理されている。情報処理装置用プログラム１１９は、ＯＳに対しＡＰＩで現在、表示されているウィンドウを問い合わせることで、ウィンドウの識別情報（例えば、Windows（登録商標）ではハンドル）を取得できる。ウィンドウの識別情報が分かれば、それらのタイトルバーの名称などを表示できる。なお、図ではウィンドウＡとＢが離れているが、表示データが取得されるウィンドウと、情報処理装置用プログラム１１９のウィンドウは重複していてもよい。【００７８】  したがって、情報処理装置用プログラム１１９は、例えばハンドルによりウィンドウを識別して、ユーザが選択した任意のウィンドウの表示データを取得できる。ユーザにより選択されたウィンドウを以下、「選択ウィンドウ」という。【００７９】  図１４は、情報処理装置用プログラム１１９が表示するログイン画面の一例を示す図である。情報処理装置用プログラム１１９が起動すると、図１４のようなログイン画面が示される（独立に表示されても、図１３のウィンドウＢの中に表示されてもよい）。ログイン画面は、ログインＩＤ欄５０３、パスワード欄５０４、及び、ログインボタン５０５を有する。ユーザがログインＩＤ欄５０３に端末ＩＤを、パスワード欄５０４にパスワードを入力してログインボタン５０５を押下すると、操作入力受付部１２がログイン操作を受け付ける。これにより、ログイン要求部１３はログイン要求を伝送管理システム５０に送信する。【００８０】  図１５は、情報処理装置用プログラム１１９が表示するアプリケーションウィンドウ（メイン画面）の一例を示す図である。このアプリケ���ションウィンドウは、主に上部バー５１０、メイン表示部５２０、及び、下部バー５３０の３つの領域を有している。上部バー５１０には情報処理装置用プログラム１１９の名称５１１、情報処理装置用プログラム１１９が宛先端末と通信を開始してからの経過時間５１２、及び、通信速度５１３が表示されている。【００８１】  また、下部バー５３０にはリストボタン５３１、ビューボタン５３２、共有ボタン５３３、カメラボタン５３４、マイクボタン５３５、音量ボタン５３６、及び、接続切断ボタン５３７が表示されている。リストボタン５３１は、後述する図２２のステップＳ４１で表示される宛先のリストを表示するためのボタンである。ビューボタン５３２は、メイン表示部５２０の表示形態を選択可能に表示するボタンである。ユーザはビューボタン５３２を押下して表示態様を選択することで、表示データと１つ以上の画像データ（宛先端末数だけ）を表示したり、表示データのみを表示したり、画像データのみを表示したりすることを選択できる。共有ボタン５３３は、表示データの共有が可能なウィンドウのリストを表示させ、選択ウィンドウの表示データの共有を開始するためのボタンである。カメラボタン５３４はカメラによる撮影のＯＮ・ＯＦＦを切り替えるためのボタンである。マイクボタン５３５はマイクによる集音のＯＮ・ＯＦＦを切り替えるためのボタンである。音量ボタン５３６はスピーカから出力される音量を調整するためのボタンである。接続切断ボタン５３７は会議を開始する（ログインする）ため、及び、会議を終了する（ログオフする）ためのボタンである。接続切断ボタン５３８には、ログイン前は「接続」と表示され、ログイン後は「切断」と表示される。【００８２】  図１５は共有ボタン５３３が押下された状態を示しているため、表示データの共有が可能なウィンドウのリストが表示されている。すなわち「Ｇｅｅｇｌｅ  インターネットブラウザ」、「デスクトップ」と表示されている。この「Ｇｅｅｇｌｅ  インターネットブラウザ」というアプリケーションウィンドウが図１３のウィンドウＡである。このため、「Ｇｅｅｇｌｅ  インターネットブラウザ」の右端に共有中であることを示すアイコン５３８が表示されている。ユーザは、別のウィンドウ（図では「デスクトップ」）の表示データを共有する場合は、該「デスクトップ」を選択する。【００８３】  また、表示データがすでに共有されていることを意味すると共に、共有を終了するためのメニュー「共有終了」が表示されている。ユーザは、共有を終了する場合は「共有終了」というメニューを選択する。【００８４】  メイン表示部５２０には、現在、共有中であるウィンドウＢ（「Ｇｅｅｇｌｅ  インターネットブラウザ」）の表示データ５２１が表示されている。また、この表示データ５２１は、宛先端末である伝送端末１０ｄｂに送信され、伝送端末１０ｄｂと共有されている。【００８５】  図１６は、表示データの共有について説明する図の一例である。中継装置３０を介して情報処理装置２０ａａと伝送端末１０ｄｂが接続されている。伝送端末１０ｄｂには外部入力装置４０ｄｂとディスプレイ１２０ｄｂが接続されている。【００８６】  情報処理装置２０ａａのディスプレイ１２��ａａには、ウィンドウＡとウィンドウＢが表示されている。ウィンドウＢは情報処理装置用プログラム１１９が作成したアプリケーションウィンドウである。ユーザが共有ボタン５３３を選択してウィンドウＡを選択した場合、表示データ取得部１４ｃはウィンドウＡの表示データを取得して、送受信部１１が表示データを伝送端末１０ｄｂに送信する。ユーザが共有ボタン５３３を選択して「デスクトップ」を選択した場合、送受信部１１はデスクトップウィンドウの表示データを伝送端末１０ｄｂに送信する。【００８７】  伝送端末１０ｄｂの画面Ｉでは、デスクトップウィンドウの表示データ、情報処理装置２０ａａのカメラ１１２が撮像した画像データ、及び、伝送端末１０ｄｂのカメラ１１２が撮像した画像データが表示されている。すなわち、ディスプレイ１２０ｄｂが３つの領域に区分され、表示データと２つの画像データが表示されている。【００８８】  伝送端末１０ｄｂの画面IIでは、ウィンドウＡの表示データが、情報処理装置２０ａａのカメラ１１２が撮像した画像データ、及び、伝送端末１０ｄｂのカメラ１１２が撮像した画像データが表示されている。  ＜アイコン画像（マウス）の合成＞  表示データ取得部１４ｃが選択ウィンドウを取得する際、情報処理装置２０によってはマウスカーソルの画像が取得されない。このため、表示データ取得部１４ｃがマウスカーソルが含まれる選択ウィンドウの表示データを取得する場合、表示データにマウスカーソルを合成することが好ましい。【００８９】  図４に示したように、表示データ取得部１４ｃは、指示情報取得部１４１、及び、表示データ作成部１４２を有している。指示情報取得部１４１は、マウスカーソルなどの位置やマウスカーソルのアイコン画像１７ｇ（図１７）などの指示情報を取得する。指示情報は、画面におけるマウスカーソルの座標データ１７ｈ（図１７）、又は、画面におけるマウスカーソルの座標データ１７ｈとそのアイコン画像１７ｇである。マウスカーソルの座標データ１７ｈは、ＡＰＩでＯＳに問い合わせることで取得できる。マウスカーソルのアイコン画像１７ｇは、同様にＯＳから取得してもよいし、予め既知のマウスカーソルのアイコン画像１７ｇを画像データとしてもよい。【００９０】  表示データ作成部１４２は、表示データにアイコン画像１７ｇを合成する。情報処理装置２０は表示データを伝送端末１０ｄｂ等に送信するので、各ユーザはマウスカーソルが画面上の表示データを特定する位置を共通に把握することができる。【００９１】  マウスカーソルのアイコン画像１７ｇの合成方法は、デスクトップウィンドウの表示データに合成する場合と、アプリケーションウィンドウを表示データに合成する場合とで異なる。【００９２】  ・デスクトップウィンドウを表示データとする場合  図１７は、表示データへのマウスカーソルのアイコン画像１７ｇの合成を模式的に説明する図の一例である。図１７の表示データ１７ｄは、情報処理装置２０ａａがディスプレイ１２０ａａに表示している画面の全体である。マウスカーソルはデスクトップ画面の全体を移動できる。【００９３】  指示情報取得部１４１はマウスカーソルのアイコン画像１７ｇ、マウスカーソルの座標データ１７ｈを取得する。���標データ１７ｈは直交座標系で表され、左上の頂点（コーナー）を原点とするピクセル単位でマウスカーソルの２次元上の位置を示す座標である。【００９４】  したがって、表示データ作成部１４２は、例えばマウスカーソルの先端部を、座標データ１７ｈが示す表示データ１７ｄの位置に配置することで、表示データ１７ｈにマウスカーソルを合成することができる。なお、合成とは、表示データ１７ｄにマウスカーソルのアイコン画像１７ｇを配置して（重なる画素の画素値を置き換えて）１つの画像データとすることである。【００９５】  ・アプリケーションウィンドウを表示データとする場合  図１８は、表示データへのマウスカーソルのアイコン画像１７ｇの合成を模式的に説明する図の一例である。マウスカーソルの座標（Ｘ，Ｙ）はデスクトップ画面の左上を原点とする座標であるのに対し、選択ウィンドウはデスクトップ画面の一部の領域に過ぎない。このため、選択ウィンドウの表示データ１７ｄに対して座標（Ｘ、Ｙ）にアイコン画像１７ｇを合成してしまうと、選択ウィンドウの左上コーナの座標（Ｘ"、Ｙ"）を基準にアイコン画像１７ｇが配置されるため、表示データ１７ｄではアイコン画像１７ｇの位置が変わってしまう。【００９６】  そこで、指示情報取得部１４１は、選択ウィンドウがデスクトップウィンドウでなくアプリケーションウィンドウの場合、以下のようにマウスカーソルの座標データ１７ｈを補正する。Ｘ＝Ｘ−Ｘ"Ｙ＝Ｙ−Ｙ"こうすることで、表示データ１７ｄとアイコン画像１７ｇの相対位置を維持して表示データ１７ｄにアイコン画像１７ｇを合成できる。【００９７】  図１９は表示データ取得部１４ｃが表示データにマウスカーソルのアイコン画像１７ｇを合成する手順を示すフローチャート図の一例である。図１９の処理は後述する図２３の処理のステップＳ７７−２の中で行われる。【００９８】  指示情報取得部１４１はマウスカーソルの座標データ１７ｈを取得する（Ｓ７７−２１）。デスクトップウィンドウが表示データの場合、この後、表示データにアイコン画像１７ｇを合成すればよい。【００９９】  指示情報取得部１４１は、ステップＳ７７−２１で取得した座標データ１７ｈが、アプリケーションウィンドウに含まれるか否かを判定する（Ｓ７７−２２）。【０１００】  アプリケーションウィンドウに含まれない場合（Ｓ７７−２２のＮｏ）、アイコン画像１７ｇを合成する必要がないので、表示データ作成部１４２はマウスカーソルのアイコン画像１７ｇを表示データに合成することなく処理を終了する。【０１０１】  アプリケーションウィンドウに含まれる場合（Ｓ７７−２２のＹｅｓ）、指示情報取得部１４１はマウスカーソルのアイコン画像１７ｇを取得する（Ｓ７７−２３）。【０１０２】  次に、表示データ作成部１４２は、選択ウィンドウの表示データに、ステップＳ７７−２３で取得したアイコン画像１７ｇを合成して処理を終了する（Ｓ７７−２４）。すなわち、表示データ作成部１４２は、マウスカーソルの先端部の座標(X, Y)とアクティブな領域１８ｒの左上隅の座標(X", Y")を参照する。そして、アクティブな領域１８ｒの画像だけを取り込んだ表示データの左上コーナを原点に（(X-X"), (Y-Y")）の位置にマウスカーソルのアイコン画像１７ｇを合成する。【０１０３】  以上の処理により、表示データにマウスカーソルを表示させることができる。なお、図１９のＳ７７−２２では、アプリケーションウィンドウが選択されているとしたが、常に、アプリケーションウィンドウが選択された場合の合成処理を適用し、デスクトップウィンドウが選択された場合に、X" = 0, Y" = 0としてもよい。【０１０４】  ＜＜実施形態の処理・動作＞＞  次に、本実施形態の伝送システム１において行われる各種処理および動作について、図２０〜図２４を参照しながら説明する。なお、図２０は、各中継装置３０から伝送管理システム５０に送信された各中継装置３０の稼働状態を表す状態情報を管理する処理の一例を示すシーケンス図である。図２１は、情報処理装置２０と他の情報処理装置２０又は伝送端末１０の間で通信を開始する準備段階の処理の一例を示すシーケンス図である。図２２は、伝送端末がセッションを確立する処理の一例を示すシーケンス図である。図２３は、情報処理装置２０が表示した表示データを会議の相手である情報処理装置２０又は伝送端末１０に表示させる処理の一例を示すシーケンス図である。図２４は表示データの取得手順を示すフローチャート図の一例である。【０１０５】  まず、図２０を参照して、各中継装置３０から伝送管理システム５０に送信された各中継装置３０の稼動状態を表す状態情報を管理する処理について説明する。まず、各中継装置３０（３０ａ〜３０ｄ）では、状態検知部３２が、自装置である中継装置３０の稼働状態を定期的に検知している（Ｓ１−１〜Ｓ１−４）。そして、伝送管理システム５０側で各中継装置３０の稼働状態をリアルタイムで管理させるべく、各中継装置３０の送受信部３１は、定期的に通信ネットワーク２を介して伝送管理システム５０へ各状態情報を送信する（ステップＳ２−１〜Ｓ２−４）。これら各状態情報には、各中継装置３０毎の中継装置ＩＤと、これら各中継装置ＩＤに係る中継装置３０の状態検知部３２で検知された稼働状態とが含まれている。なお、本実施形態では、中継装置３０ａ、３０ｂおよび３０ｄは、正常に稼働して「ＯＮライン」となっている一方で、中継装置３０ｃは、稼働中ではあるが、中継装置３０ｃの中継動作を実行するためのプログラムに何らかの不具合が生じて「ＯＦＦライン」となっている場合が示されている。【０１０６】  次に、伝送管理システム５０では、各中継装置３０ａ〜３０ｄから送られてきた各状態情報を送受信部５１が受信し、記憶・読出処理部５９を介して記憶部５０００の中継装置管理ＤＢ５００１（図７の中継装置管理テーブル５０１ｔ）に、中継装置ＩＤ毎に状態情報を記憶して管理する（ステップＳ３−１〜Ｓ３−４）。これにより、中継装置管理テーブル５０１ｔに対して、中継装置ＩＤ毎に「ＯＮライン」、「ＯＦＦライン」または「故障中」のいずれかの稼働状態が記憶されて管理される。その際、中継装置ＩＤ毎に、伝送管理システム５０で状態情報が受信された受信日時も記憶されて管理される。なお、中継装置３０から状態情報が送られてこない場合には、中継装置管理テーブル５０１ｔの各レコードにおける稼働状態のフィールド部分および受信日時のフィールド部分が空白になるか、または、前回の受信時の稼働状態および受信日時が維持されて管理される。【０１０７】  次に、図２１を用いて、情報処理装置２０ａａ及び伝送端末１０ｂａ、１０ｄｂとの間で、通信を開始する前の準備段階の処理について説明する。まず、ユーザが、情報処理装置用プログラム１１９を起動させると図１４のログイン画面が表示される。ユーザは端末ＩＤとパスワードを入力してログインボタン５０５を押下する（ステップＳ２１）。【０１０８】  次に、ログイン要求部１３はログインボタン５０５の押下を契機とし、送受信部１１から通信ネットワーク２を介して伝送管理システム５０に、ログイン要求を示すログイン要求情報を自動的に送信する（ステップＳ２２）。このログイン要求情報には、要求元としての自装置である情報処理装置２０ａａを識別するための端末ＩＤおよびパスワードが含まれている。これら端末ＩＤおよびパスワードは、記憶・読出処理部１９を介して記憶部１０００から読み出されて、送受信部１１に送られたデータである。なお、情報処理装置２０ａａから伝送管理システム５０へログイン要求情報が送信される際、受信側である伝送管理システム５０は、送信側である情報処理装置２０ａａのＩＰアドレスを把握することができる。【０１０９】  次に、伝送管理システム５０の端末認証部５２は、送受信部５１を介して受信したログイン要求情報に含まれている端末ＩＤおよびパスワードを検索キーとして、記憶部５０００の端末認証管理ＤＢ５００２（図８の端末認証管理テーブル５０２ｔ）を検索し、端末認証管理ＤＢ５００２に同一の端末ＩＤおよびパスワードが管理されているかを判断することにより、端末認証を行う（ステップＳ２３）。この端末認証部５２によって、同一の端末ＩＤおよびパスワードが管理されているため正当な利用権限を有する情報処理装置２０又は伝送端末１０からのログイン要求であると判断された場合には、状態管理部５３は、端末管理ＤＢ５００３（図９の端末管理テーブル５０３ｔ）に、情報処理装置２０ａａの端末ＩＤ、稼働状態、上記ログイン要求情報が受信された受信日時、および情報処理装置２０ａａのＩＰアドレスを関連付けて記憶する（ステップＳ２４）。これにより、端末管理テーブル５０３ｔ（図９）には、情報処理装置２０ａａの端末ＩＤ「０１ａａ」に、稼働状態「ＯＮライン」、受信日時「２００９．１１．１０．１３：４０」および端末ＩＰアドレス「１．２．１．３」が関連付けて管理されることになる。【０１１０】  次に、伝送管理システム５０の送受信部５１は、端末認証部５２によって得られた認証結果が示された認証結果情報を、通信ネットワーク２を介して、上記ログイン要求してきた要求元の情報処理端末２０ａａに送信する（ステップＳ２５）。本実施形態では、端末認証部５２によって正当な利用権限を有する端末であると判断された場合について、以下続けて説明する。【０１１１】  伝送管理システム５０の端末抽出部５４は、ログイン要求した情報処理端末２０ａａの端末ＩＤ「０１ａａ」を検索キーとして、宛先リスト管理テーブル５０４ｔを検索し、情報処理端末２０ａａと通信することができる宛先端末の候補の端末ＩＤを読み出すことによって抽出する（ステップＳ２６）。ここでは、情報��理端末２０ａａの端末ＩＤ「０１ａａ」に対応する、宛先端末となる、情報処理装置２０ａｂ、伝送端末１０ｂａおよび伝送端末１０ｄｂのそれぞれの端末ＩＤ「０１ａｂ」、「０１ｂａ」および「０１ｄｂ」が抽出されることになる。【０１１２】  次に、端末状態取得部５５は、端末抽出部５４によって抽出された宛先端末の候補の端末ＩＤ（「０１ａｂ」、「０１ｂａ」、「０１ｄｂ」）を検索キーとして、端末管理テーブル５０３ｔを検索し、端末抽出部５４によって抽出された端末ＩＤ毎に稼働状態（「ＯＦＦライン」、「ＯＮライン」、「ＯＮライン」）を読み出すことにより、宛先端末（情報処理端末２０ａｂ、伝送端末１０ｂａ、及び伝送端末１０ｄｂ）の各稼働状態を取得する（ステップＳ２７）。【０１１３】  次に、送受信部５１は、ステップＳ２７で使用された検索キーとしての端末ＩＤ（「０１ａｂ」、「０１ｂａ」、「０１ｄｂ」）と、対応する宛先端末（情報処理端末２０ａｂ、伝送端末１０ｂａ、及び伝送端末１０ｄｂ）の稼働状態（「ＯＦＦライン」、「ＯＮライン」、「ＯＮライン」）とが含まれた宛先状態情報を、通信ネットワーク２を介して情報処理端末２０ａａに送信する（ステップＳ２８）。これにより、情報処理端末２０ａａは、この情報処理端末２０ａａと通信することができる宛先端末の候補である情報処理端末２０ａｂ、伝送端末１０ｂａ、及び伝送端末１０ｄｂの現時点のそれぞれの稼働状態（「ＯＦＦライン」、「ＯＮライン」、「ＯＮライン」）を把握することができる。【０１１４】  さらに、伝送管理システム５０の端末抽出部５４は、ログイン要求してきた情報処理端末２０ａａの端末ＩＤ「０１ａａ」を検索キーとして、宛先リスト管理テーブル５０４ｔを検索し、情報処理端末２０ａａの端末ＩＤ「０１ａａ」を宛先端末の候補として登録している他の要求元端末の端末ＩＤを抽出する（ステップＳ２９）。図１０に示される宛先リスト管理テーブル５０４ｔでは、抽出される他の要求元端末の端末ＩＤは、「０１ａｂ」、「０１ｂａ」および「０１ｄｂ」である。【０１１５】  次に、伝送管理システム５０の端末状態取得部５５は、ログイン要求してきた情報処理端末２０ａａの端末ＩＤ「０１ａａ」を検索キーとして、端末管理テーブル５０３ｔを検索し、その情報処理端末２０ａａの稼働状態を取得する（ステップＳ３０）。【０１１６】  次に、送受信部５１は、ステップＳ２９で抽出された端末ＩＤ（「０１ａｂ」、「０１ｂａ」および「０１ｄｂ」）の要求元端末（情報処理端末２０ａｂ、伝送端末１０ｂａ、及び伝送端末１０ｄｂ）のうち、端末管理テーブル５０３ｔで稼働状態が「ＯＮライン」となっている要求元端末（伝送端末１０ｂａ及び１０ｄｂ）に、ステップＳ３０で取得された情報処理端末２０ａａの端末ＩＤ「０１ａａ」と稼働状態「ＯＮライン」が含まれる宛先状態情報を送信する（ステップＳ３１−１，Ｓ３１−２）。なお、送受信部５１が要求元端末（伝送端末１０ｂａ及び１０ｄｂ）に宛先状態情報を送信する際に、各端末ＩＤ（「０１ｂａ」及び「０１ｄｂ」）に基づいて、端末管理テーブル５０３ｔ（図９）で管理されている端末のＩＰアドレスを参照する。これにより、ログイン要求した情報処理端末２０ａａを���先として通信することができる他の宛先端末（伝送端末１０ｄｂ及び１０ｂａ）の各々に、ログイン要求した情報処理端末２０ａａの端末ＩＤ「０１ａａ」および稼働状態「ＯＮライン」を伝えることができる。【０１１７】  一方、他の伝送端末１０においても、ユーザが電源スイッチ１０９をＯＮにすると（上記ステップＳ２１）、操作入力受付部１２が電源ＯＮを受け付け、上記ステップＳ２２〜Ｓ３１−１、３１−２の処理と同様の処理を行うため、その説明を省略する。【０１１８】  次に、図２２を参照して、情報処理装置２０と、他の情報処理装置２０又は伝送端末１０がセッションを確立する処理について説明する。本実施形態では、情報処理端末２０ａａは、宛先の候補としての伝送端末１０のうち、上記ステップＳ２８において受信した宛先状態情報により、稼働状態が「ＯＮライン」である伝送端末１０ｂａおよび１０ｄｂのうち少なくとも一方と通信を行うことができる。そこで、以下の記載では、情報処理端末２０ａａのユーザが宛先端末である伝送端末１０ｄｂと通信を開始することを選択した場合について説明する。【０１１９】  まず、ユーザが操作ボタン１０８を押下して伝送端末１０ｄｂを選択すると、情報処理端末２０ａａの操作入力受付部１２は、宛先を伝送端末１０ｄｂとする選択を受け付ける（ステップＳ４１）。次に、情報処理装置２０ａａの送受信部１１は、要求元端末として情報処理端末２０ａａの端末ＩＤ「０１ａａ」および宛先端末として伝送端末１０ｄｂの端末ＩＤ「０１ｄｂ」を含み、通信を開始したい旨を示す開始要求情報を、伝送管理システム５０へ送信する（ステップＳ４２）。これにより、伝送管理システム５０の送受信部５１は、その開始要求情報を受信するとともに、送信元である情報処理端末２０ａａのＩＰアドレス「１．２．１．３」を把握することになる。そして、状態管理部５３は、開始要求情報に含まれる要求元端末である情報処理端末２０ａａの端末ＩＤ「０１ａａ」および宛先端末である伝送端末１０ｄｂの端末ＩＤ「０１ｄｂ」に基づいて、端末管理ＤＢ５００３の端末管理テーブル５０３ｔ上で、上記端末ＩＤ「０１ａａ」および端末ＩＤ「０１ｄｂ」がそれぞれ含まれるレコードの稼働状態のフィールド部分を、それぞれ「通話中」に変更する（ステップＳ４３）。この状態では、情報処理端末２０ａａと伝送端末１０ｄｂは、通信（通話）を開始していないが通話中状態となり、他の伝送端末１０が情報処理端末２０ａａまたは伝送端末１０ｄｂと通信しようとすると、いわゆる通話中状態を示す旨の音声または表示が出力される。【０１２０】  伝送管理システム５０は、中継装置３０を選択するためのセッションの実行に用いられる選択用セッションＩＤを生成する（ステップＳ４４）。そして、セッション管理部５７は、記憶部５０００のセッション管理テーブル５０５ｔに、ステップＳ４４で生成された選択用セッションＩＤ「ｓｅ１」、要求元端末である情報処理端末２０ａａの端末ＩＤ「０１ａａ」、および宛先端末である伝送端末１０ｄｂの端末ＩＤ「０１ｄｂ」を関連付けて記憶して管理する（ステップＳ４５）。【０１２１】  この後、伝送管理システム５０は、中継装置管理ＤＢ５００１及び端末管理ＤＢ５００３に基づいて、であると伝送端末１０ｄｂとの通信を中継するための中継装置３０の絞り込みを行うが詳細は省略した。【０１２２】  次に、伝送管理システム５０のセッション管理部５７は、セッション管理ＤＢ５００５のセッション管理テーブル５０５ｔにおいて、選択用セッションＩＤ「ｓｅ１」が含まれるレコードの中継装置ＩＤのフィールド部分に、上記の最終的に１つに選択された中継装置３０ａの中継装置ＩＤ「１１１ａ」を記憶して管理し（ステップＳ６７−１）、送受信部５１は中継装置ＩＤ「１１１ａ」、伝送端末１０ｄｂのＩＰアドレス「１．３．２．４」を情報処理端末２０ａａに送信する（ステップＳ６７−２１）。なお、伝送管理システム５０の送受信部５１は、通信ネットワーク２を介して中継装置３０ａへ、中継を開始する旨の要求が示された中継開始要求情報を送信する（不図示）。この中継開始要求情報には、中継される情報処理端末２０ａａおよび伝送端末１０ｄｂの各ＩＰアドレス（「１．２．１．３」、「１．３．２．４」）が含まれている。これにより、中継装置３０ａは、情報処理端末２０ａａと伝送端末１０ｄｂとの間で、低解像度、中解像度および高解像度の３つの画像データと音声データを通信するためのセッションを確立する（ステップＳ６９）。これにより、情報処理端末２０ａａと伝送端末１０ｄｂは、テレビ会議を開始することができる。なお、通信する３つの画像データはあくまで一例であり、３つより多くても少なくてもよい。【０１２３】  なお、各伝送端末１０は、H.264（H.264/AVC、MPEG-4 part10、MPEG4 AVC）、その拡張規格であるH.264/SVC、又は、Mpeg2などの映像符号化標準規格を利用して、画像データの送受信を行う。【０１２４】  次に、中継装置３０が決定された後に、情報処理装置２０のディスプレイ１２０に表示される画像を表す表示データを他の情報処理装置２０又は他の伝送端末１０に送信してディスプレイ１２０に表示させる処理について、図２３を参照しながら説明する。ここでは、情報処理装置２０ａａが表示している情報を、宛先端末である伝送端末１０ｄｂに表示させる場合を例にとって説明する。【０１２５】  上記のように中継装置３０が決定されると、ステップＳ６７−２１において伝送管理システム５０が送信した中継装置ＩＤ「１１１ａ」および伝送端末１０ｄｂのＩＰアドレス「１．３．２．４」を、情報処理装置２０ａａの送受信部１１が受信する。そして、その受信された中継装置ＩＤ「１１１ａ」およびＩＰアドレス「１．３．２．４」を、記憶・読出処理部１９が記憶部１０００に記憶させる（ステップＳ６７−２２）。【０１２６】  次に、情報処理装置２０ａａの記憶・読出処理部１９が、記憶部１０００に記憶されている中継装置ＩＤ「１１１ａ」と、宛先となる伝送端末１０ｄｂのＩＰアドレス「１．３．２．４」を読み出す（ステップＳ７７）。【０１２７】  表示データ取得部１４ｃはディスプレイ１２０に表示された画面を取り込んで表示データを取得する（ステップＳ７７−２）。ステップＳ７７−２の処理については後述する。【０１２８】  そして、ステップＳ７７で読み出された中継装置ＩＤ「１１１ａ」で示される中継装置３０に対して、送受信部１１が、解像度が変換された表示データと、宛先��なる伝送端末１０ｄｂのＩＰアドレス「１．３．２．４」を送信する（ステップＳ７８）。【０１２９】  中継装置３０が、ステップＳ７８で情報処理装置１０ａａから送信された表示データを受信すると、宛先の伝送端末１０ｄｂのＩＰアドレス「１．３．２．４」に基づいて、表示データの画質を変更する（ステップＳ７９）。【０１３０】  中継装置３０は、伝送端末１０ｄｂに表示データを送信する（ステップＳ８０）。中継装置３０から送信された表示データを伝送端末１０ｄｂの送受信部１１が受信すると、画像表示制御部１４ｂが、その受信した表示データによって表される画像をディスプレイ１２０ｄｂに表示させる（ステップＳ８１）。【０１３１】  図２４は、図２３のステップＳ７７−２における表示データの取得手順を示すフローチャート図の一例である。図２４の手順は図２３のステップＳ７７が終了した後にスタートする。【０１３２】  まず、操作入力受付部１２は、ユーザが表示データの共有を開始したか否かを判定する（Ｓ１０）。共有の開始は、共有ボタン５３３が押下され、ウィンドウが選択されたことにより検出される。【０１３３】  操作入力受付部１２が共有の開始を受け付けた場合（Ｓ１０のＹｅｓ）、透過表示制御部１８は現在の表示状態を記憶する（Ｓ２０）。表示状態は、透過表示がＯＮ又はＯＦＦのいずれかである。表示状態を記憶しておくことで表示データの共有が終了した後、元の表示状態に戻すことができる。【０１３４】  透過表示制御部１８は、記憶した表示状態を参照し、透過表示がＯＮであればＯＦＦに制御する（Ｓ３０）。すなわち、透過表示がＯＮであれば、非透過表示に表示状態を一時的に切り替える。切り替える方法としては、例えば、ＯＳがWindows（登録商標）の場合、透過表示制御部１８がＤＭＷ(Desktop Window Manager)のＡＰＩ（Application Program Interface）を使用することによって実現できる。ＯＦＦからＯＮへの切り替えも同様である。【０１３５】  なお、本実施形態ではWindows（登録商標）というＯＳを例に説明するが、Ｍａｃ ＯＳ（登録商標）においても透過表示をＯＮからＯＦＦに切り替えることができる。また、ｉＯＳ（登録商標）、Ａｎｄｏｒｏｉｄ（登録商標）においても、透過表示に負荷がかかるのは同じなので、これらのＯＳにおいても透過表示をＯＮからＯＦＦに切り替えることができる。【０１３６】  透過表示（特許請求の範囲の高負荷な表示状態の一例である）は非透過表示（特許請求の範囲の低負荷な表示状態の一例である）に比べ画面表示のための表示負荷が高い。そのため、情報処理装置２０が透過表示したまま、音声データと画像データを取得し、さらに表示データの共有を開始すると、ＯＳなどによるディスプレイ１２０への画面表示処理が遅くなり、ユーザに画面がちらついて見える場合がある。実施例１では、画面の共有中、負荷がかかる透過表示をＯＦＦにすることで、画面表示の負荷を低くすることができ、ちらつきのような画面品質の低下が生じることを抑制できる。【０１３７】  次に、表示データ取得部１４ｃはユーザが選択した選択ウィンドウの表示データを取得する（Ｓ４０）。【０１３８】  次に、操作入力受付部１２は、ユーザが表示データの共有を終了したか否かを判定する（Ｓ５０）。操作���力受付部１２は、共有ボタン５３３の押下により表示されるリストの中から「共有終了」が選択されたか否かを判定する。【０１３９】  「共有終了」の選択が検出されない場合（Ｓ５０のＮｏ）、処理は図２３のステップＳ７８に進み、表示データが送信される。その後、処理はステップ４０に戻る。【０１４０】  「共有終了」の選択が検出された場合（Ｓ５０のＹｅｓ）、透過表示制御部１８は記憶してある表示状態を参照し、記憶していた表示状態に戻す（Ｓ６０）。【０１４１】  なお、必ずしも元の表示状態に戻さなくてもよく、表示データの共有が終了した後、透過表示をＯＦＦにしたままでもよい。透過表示をＯＦＦにしたままだとしても、ちらつきを抑制できることにかわりはない。【０１４２】  ところで、ステップＳ３０で透過表示がＯＦＦに切り替えられた場合、ユーザは透過表示が非透過表示に切り替わるため違和感を感じる場合があり得る。このため、透過表示がＯＦＦに切り替えられる場合、その旨を知らせることが好ましい場合がある。【０１４３】  図２５は、ステップＳ３０で透過表示がＯＦＦに切り替えられる際に表示されるメッセージの一例を示す図である。透過表示制御部１８は透過表示をＯＦＦに切り替える際、予め定められたメッセージを表示する。なお、メッセージの表示は透過表示が切り替えられる前後のどちらでもよい。【０１４４】  図２５のメッセージでは「画面の配色が変更されました。Windows（登録商標）の画面の配色を一時的にWindows（登録商標）のベーシックに変更する必要がある動作が次のプログラムにより実行されました。」と表示されている。【０１４５】  ユーザは透過表示が変わった理由が分かるので、少ない違和感で情報処理装置２０を使用できる。ユーザがＯＫボタン５５０を押下すると、メッセージが消去される。【０１４６】  また、図２６に示すように、メッセージをタスクバーにバルーン表示してもよい。図２６は、透過表示がＯＦＦに切り替わった際のメッセージの表示例の別の一例を示す図である。図２６では透過表示がＯＦＦに切り替えられる際にメッセージがバルーン表示されている。バルーン表示されたメッセージは閉じるボタン５４０をユーザが選択することで消去されるが、一定時間が経過するとユーザ操作がなくても消去される。したがって、操作性を向上できる。【０１４７】  以上説明したように、実施例１の情報処理装置２０は、画像データと音声データの送受信に加え、表示データを共有するという負荷がかかりやすい状態では、透過表示をＯＦＦにすることで、ちらつきなどが生じることを低減できる。また、透過表示はユーザの操作がなくてもＯＮに戻るので、ユーザが透過表示をＯＮに操作する必要がなく操作性を向上できる。また、透過表示をＯＦＦに切り替える際には、メッセージが表示されるのでユーザが感じる違和感を少なくすることができる。
【実施例２】
【０１４８】  実施例１では、アプリケーションウィンドウとデスクトップウィンドウを区別することなく、表示データが共有されていた場合は情報処理装置２０が透過表示をＯＦＦに切り替えた。【０１４９】  しかしながら、デスクトップウィンドウはユーザ操作により動くことはないが、アプリケーションウィンドウは、ユーザ操作により任意の位置に移動させることが可能である。このため、ＯＳはアプリケーションウィンドウの書き換えのタイミングを監視している。この結果、アプリケーションウィンドウの表示データが作成される場合、デスクトップウィンドウの表示データが作成される場合よりも、表示データの作成に負荷がかかりやすくなる。【０１５０】  このため、デスクトップウィンドウの表示データ（特許請求の範囲の表示装置の一画面分の画像の画像データの一例である）が共有されている場合は、透過表示をＯＦＦにする必要がない場合がある。透過表示のＯＮを継続することで、ユーザは背後のウィンドウを確認したり、デザイン性が高い画面を操作できる。【０１５１】  そこで、実施例１では、アプリケーションウィンドウの表示データが共有される場合だけ、透過表示をＯＦＦに切り替える情報処理装置２０について説明する。【０１５２】  なお、実施例２において、実施例１において説明した構成要素は同様の機能を果たすので、主に実施例２の主要な構成要素についてのみ説明する場合がある。【０１５３】  図２７は、図２３のステップＳ７７−２における表示データの取得手順を示すフローチャート図の一例である。ステップＳ１０〜Ｓ４０の処理は実施例１と同様である。【０１５４】  ステップＳ４０で選択ウィンドウの表示データが取得されると、操作入力受付部１２は選択ウィンドウに変更があったか否かを判定する（Ｓ４１）。すなわち、操作入力受付部１２は、共有ボタン５３３の押下で表示されたウィンドウのリストから、現在、共有中のウィンドウとは別のウィンドウ（「共有終了」を除く）のいずれかが選択されたか否かを判定する。【０１５５】  選択ウィンドウの変更がなければ（Ｓ４１のＮｏ）、処理はステップＳ５０に進み、図２４と同様に処理される。【０１５６】  選択ウィンドウの変更がある場合（Ｓ４１のＹｅｓ）、透過表示制御部１８は変更により選択されたウィンドウがデスクトップウィンドウか否かを判定する（Ｓ４２）。【０１５７】  デスクトップウィンドウが選択された場合（Ｓ４２のＹｅｓ）、表示データの作成処理の負荷はウィンドウの場合よりも少ないので、透過表示制御部１８は記憶している表示状態を参照し、透過表示がＯＮであってもそのままＯＮを継続する（Ｓ４３）。【０１５８】  デスクトップウィンドウが選択されていない場合（Ｓ４２のＮｏ）、表示データの作成処理の負荷がデスクトップウィンドウの場合よりも高いので、透過表示制御部１８は記憶している表示状態を参照し、透過表示がＯＮであればＯＦＦに切り替える（Ｓ４４）。【０１５９】  次いで、処理はステップＳ４５に進み、表示データ取得部１４ｃは変更後の選択ウィンドウの表示データを取得する（Ｓ４５）。【０１６０】  以降の処理は、実施例１と同様である。すなわち、操作入力受付部１２は、ユーザが表示データの共有を終了したか���かを判定する（Ｓ５０）。操作入力受付部１２は、後述するリストの中から共有終了が選択されることにより共有終了を受付ける。  共有終了の操作が検出されない場合（Ｓ５０のＮｏ）、処理は図２３のステップＳ７８に進み、表示データが送信される。その後、処理はステップ４０に戻る。【０１６１】  共有終了の操作が検出された場合（Ｓ５０のＹｅｓ）、透過表示制御部１８は記憶してある表示状態を参照し、記憶していた表示状態に戻す（Ｓ６０）。【０１６２】  以上の処理により、実施例１と同様に画面のちらつきを抑制することができる。また、表示状態が透過表示である場合、選択ウィンドウがデスクトップウィンドウでない場合だけ、非透過表示に切り替えるので、表示状態が変更されることによる違和感を実施例１に比べて低減できる。
【実施例３】
【０１６３】  ユーザがアプリケーションウィンドウを移動させることで、アプリケーションウィンドウがデスクトップ領域からはみだす場合がある。この場合、例えばＯＳは、アプリケーションウィンドウの表示領域を特定するための処理がさらに必要になるため、デスクトップ内にアプリケーションウィンドウを表示する場合よりも表示処理の負荷が高い。このため、デスクトップ領域外のアプリケーションウィンドウの表示データが作成される場合、デスクトップ領域内のアプリケーションウィンドウやデスクトップウィンドウの表示データが作成される場合よりも、表示データの作成に負荷がかかりやすくなる。【０１６４】  よって、アプリケーションウィンドウがデスクトップ領域からはみ出していない場合は、透過表示をＯＦＦにする必要がない場合がある。透過表示のＯＮを継続することで、ユーザは背後のウィンドウを確認したり、デザイン性が高い画面を操作できる。【０１６５】  そこで、実施例３では、デスクトップ領域からはみだしたアプリケーションウィンドウの表示データを取得する場合にだけ、透過表示をＯＦＦに切り替える情報処理装置２０について説明する。【０１６６】  なお、実施例３において、実施例１において説明した構成要素は同様の機能を果たすので、主に実施例３の主要な構成要素についてのみ説明する場合がある。【０１６７】  図２８は、図２３のステップＳ７７−２における表示データの取得手順を示すフローチャート図の一例である。ステップＳ１０〜Ｓ２０の処理は実施例１と同様である。【０１６８】  ステップＳ２０で表示状態を記憶すると、透過表示制御部１８は選択ウィンドウの一部がデスクトップ領域９ｄ（図２９）外にあるか否かを判定する（Ｓ２１）。例えば、以下の条件を満たせばデスクトップ領域９ｄ外にあると判断し、条件を満たさない場合はデスクトップ領域９ｄ内と判断する。【０１６９】  図２９は、デスクトップ領域９ｄ外か否かの判断における座標系を説明する図の一例である。原点(0, 0)は左上隅に設定される。(X, Y)はデスクトップ領域９ｄの右下隅の座標である。(X1,Y1)はアプリケーションウィンドウ９ａの左上隅の座標である。(x2, y2) はアプリケーションウィンドウ９ａの右下隅の座標である。【０１７０】  したがって、アプリケーションウィンドウ９ａがデスクトップ領域９ｄ外にある条件は以下のようになる。 x1 < 0   or   y1 < 0   or   x2 > X   or   y2 > Y  図２８に戻り、選択されたアプリケーションウィンドウ９ａがデスクトップ領域９ｄ外にない場合（Ｓ２１のＮｏ）、表示データの作成処理の負荷が高くないと判断して、透過表示制御部１８は記憶した表示状態を参照し、透過表示がＯＮであればＯＮを継続する（Ｓ２２）。【０１７１】  選択されたアプリケーションウィンドウ９ａがデスクトップ領域９ｄ外にある場合（Ｓ２１のＹｅｓ）、表示データの作成処理の負荷が高いので、透過表示制御部１８は記憶した表示状態を参照し、透過表示がＯＮであればＯＦＦに一時的に切り替える（Ｓ３０）。【０１７２】  次いで、表示データ取得部１４ｃは選択ウィンドウの表示データを取得する（Ｓ４０）。また、操作入力受付部１２は選択ウィンドウに変更があったか否かを判定する（Ｓ４１）。選択ウィンドウの変更がなければ（Ｓ４１のＮｏ）、処理はステップＳ５０に進み、図２４と同様に処理される。【０１７３】  選択ウィンドウの変更がある場合（Ｓ４１のＹｅｓ）、透過表示制御部１８は選択ウィンドウとしてデスクトップウィンドウが選択されたか否かを判定する（Ｓ４２）。デスクトップウィンドウが選択された場合（Ｓ４２のＹｅｓ）、表示データの作成処理の負荷が高くないと判断して、表示データ取得部１４ｃは変更後の選択ウィンドウの表示データを取得する（Ｓ４５）。【０１７４】  デスクトップウィンドウが選択されてない場合（Ｓ４２のＮｏ）、透過表示制御部１８は選択ウィンドウの一部がデスクトップ領域９ｄ外にあるか否かを判定する（Ｓ４２−２）。してがって、ステップＳ２１と同様に、選択されたアプリケーションウィンドウ９ａがデスクトップ領域９ｄ外にない場合（Ｓ４２−２のＮｏ）、表示データの作成処理の負荷が高くないと判断して、透過表示制御部１８は記憶した表示状態を参照し、透過表示がＯＮであればＯＮを継続する（Ｓ４３）。【０１７５】  選択されたアプリケーションウィンドウ９ａがデスクトップ領域９ｄ外にある場合（Ｓ４２−２のＹｅｓ）、表示データの作成処理の負荷が高いので、透過表示制御部１８は記憶した表示状態を参照し、透過表示がＯＮであればＯＦＦに一時的に切り替える（Ｓ４４）。【０１７６】  この後、処理はステップＳ４５に進み、表示データ取得部１４ｃは変更後の選択ウィンドウの表示データを取得する（Ｓ４５）。【０１７７】  以降の処理は、実施例１と同様である。すなわち、操作入力受付部１２は、ユーザが表示データの共有を終了したか否かを判定する（Ｓ５０）。操作入力受付部１２は、後述するリストの中から共有終了が選択されることにより共有終了を受付ける。【０１７８】  共有終了の操作が検出されない場合（Ｓ５０のＮｏ）、処理は図２３のステップＳ７８に進み、表示データが送信される。その後、処理はステップ４０に戻る。【０１７９】  共有終了の操作が検出された場合（Ｓ５０のＹｅｓ）、透過表示制御部１８は記憶してある表示状態を参照し、記憶していた表示状態に戻す（Ｓ６０）。【０１８０】  実施例３の情報処理装置２０によれば、実施例２よりも透過表示をＯＦＦに切り替えることが少ないので、実施例２に比べて表示状態が変更されることによる違和感をさらに低減できる。例えば、情報処理装置２０の性能が比較的高ければ、実施例３の情報処理装置用プログラム１１９が有効になる。【０１８１】  情報処理装置２０は、情報処理装置２０のＣＰＵの型番やメモリ容量を取得して、実施例１〜３のどの処理を採用するかを切り替えてもよい。これにより、情報処理装置２０の性能によって、透過表示をＯＦＦに切り替えることを最小限にすることができる。
【実施例４】
【０１８２】  実施例１〜３では、表示データが共有される場合、透過表示をＯＮからＯＦＦに切り替えることでディスプレイ１２０に表示される画面のちらつきを抑制した。【０１８３】  しかしながら、画面のちらつきは表示処理の負荷が高いことで生じるため、ちらつきを抑制する方法としては、透過表示をＯＦＦに切り替える以外に、ウィンドウから表示データを作成する処理の負荷を低減する方法がある。【０１８４】  マウスカーソルを表示データに合成する場合、マウスカーソルが滑らかに移動しているように見せるため、指示情報取得部１４１は所定以上の頻度で（例えば１秒間に１回以上）マウスカーソルの座標の取り込みとアイコン画像１７ｇの取得を行い、表示データ作成部１４２は所定以上の頻度で表示データにアイコン画像１７ｇの合成を行う。【０１８５】  また、マウスカーソルの座標の取り込みとアイコン画像１７ｇの取得、合成は、表示データの取得とは別に行われる処理である。これらのため、表示データを取得してマウスカーソルを合成する処理は負荷（すなわち、表示データを取得してマウスカーソルを合成する一連の表示データの取得負荷）が高い。【０１８６】  そこで、透過表示がＯＮの場合、表示データの取得頻度を低減する、又は、マウスカーソルの合成を行わないことで、透過表示をＯＦＦにすることなく画面がちらつくことを抑制する情報処理装置２０について説明する。【０１８７】  図３０は、図２４のステップＳ３０「記憶した表示状態の透過表示がＯＮであればＯＦＦに切り替える」の処理と置き換えられる処理の手順を示すフローチャート図の一例である。すなわち、記憶した表示状態の透過表示がＯＮの場合、表示データ取得部は図３０の処理を行う。【０１８８】  図３０では、表示データ取得部１４ｃは、変数ｉを用いて表示データを作成するか否かを制御する。例えば、指示情報取得部１４１が指示情報を取得する取得頻度に対し、表示データ取得部１４ｃが表示データを取得する頻度をｎ回に対し１回のように制限する。この"ｎ"回は、例えば、２以上の自然数である。"ｎ"回の決定方法は種々あるが、例えば情報処理装置２０の仕様に応じたり、ユーザの設定を受け付けるなどの方法がある。【０１８９】  まず、表示データ取得部１４ｃは、操作入力受付部１２が共有ボタン５３３からウィンドウの選択を受け付けると、変数ｉに１を設定することで初期化する（Ｓ３０−１）。【０１９０】  次に、表示データ取得部１４ｃはi＝1か否かを判定し（Ｓ３０−２）、i＝1の場合にだけ、表示データ取得部１４ｃは表示データを取得する（Ｓ３０−３）。表示データ取得部１４ｃはＲＡＭ１０３やフラッシュメモリ１０４に記憶されている表示データを更新する。  i＝1でない場合、表示データ取得部１４ｃは表示データを取得しないので、表示データの取得負荷を低減できる。【０１９１】  次に、指示情報取得部１４１はマウスカーソルの画像データを取得する（Ｓ３０−４）。次に、指示情報取得部１４１はマウスカーソルの座標データ１７ｈを取得する（Ｓ３０−５）。【０１９２】  次に、表示データ作成部１４２は表示データにマウスカーソルの画像データを合成する（Ｓ３０−６）。すなわち、表示データが更新されているか否かに関わらず、表��データにマウスカーソルの画像データを更新する。したがって、ユーザにとってマウスカーソルは滑らかに動いているようにみえる。【０１９３】  表示データ取得部１４ｃはマウスカーソルが合成された表示データを取得すると、変数ｉを1つ増やす（Ｓ３０−７）。【０１９４】  次いで、表示データ取得部１４ｃはi = nか否かを判定する（Ｓ３０−８）。ｉ＝ｎの場合（Ｓ３０−８のＹｅｓ）、変数iを" 1" に初期化する（Ｓ３０−９）。【０１９５】  以上のような処理により、指示情報がｎ回取得される毎に１回、情報処理装置２０は表示データを取得してマウスカーソルの画像データを合成することができる。【０１９６】  なお、表示データ取得部１４ｃは、指示情報取得部１４１に指示情報を取得することを停止させてもよい。指示情報取得部１４１が指示情報を取得しない場合、表示データにマウスカーソルの画像データが合成されないので、表示データの取得頻度を低減するだけよりも取得負荷を低減できる。また、ちらつきを抑制できる場合、表示データの取得頻度を低減することなく、表示データにマウスカーソルの画像データを合成することだけを停止してもよい。【０１９７】  表示データの取得頻度を低減するか、又は、マウスカーソルの合成を行わない場合、実施例１〜３と同様にその旨をディスプレイ１２０に表示することが好ましい。ユーザは表示データの取得頻度が低減されているので動画の表示データの送信には適当でないことを把握でき、マウスカーソルが合成されない理由を把握できる。【０１９８】  図３０は実施例１の図２４のステップＳ３０を置き換える処理と説明したが、図２７のステップＳ３０、Ｓ４４、図２８のステップＳ３０、Ｓ４４とも同様に置き換えることができる。【０１９９】  また、実施例４と実施例１〜３をユーザの選択により切り替えてもよい。例えば、ユーザが表示データの更新頻度（及びマウスカーソルの合成の停止）と、透過表示のＯＦＦのどちらかを選択する。ユーザは好みの方法で画面がちらつくことを抑制できる。【０２００】  また、実施例４では、表示データの更新頻度を低減したが、色数を低減してもよい。選択ウィンドウでキャプチャされる表示データの容量は、表示データの幅と高さの他、色数の影響を受ける。色数は、１画素のビット数で例えば１６ビットや３２ビットを選択できる。表示データの容量が多いほど表示処理に負荷がかかりやすい。【０２０１】  そこで、画面（デスクトップウィンドウとアプリケーションウィンドウの両方）の色数を低減することで、透過表示をＯＦＦにすることなく画面がちらつくことを抑制できる。なお、表示データの取得頻度の低減と同様に、ユーザがどの方法で画面のちらつきを抑制するかを選択可能としてもよい。【０２０２】  例えば、本実施形態では、情報処理装置２０が専用端末の代わりに画像データ、音声データ、及び、表示データを送信する場合にちらつきを抑制するとして説明した。しかし、情報処理装置２０が外部入力装置４０として表示データを取得する場合に、透過表示をＯＦＦするなどしてちらつきを抑制してもよい。【０２０３】  例えば、図１に示す伝送システム１の一例として、テレビ会議システムの場合について説明したが、これに限るものではなく、伝送シス���ム１は、ＩＰ(Internet Protocol)電話や、インターネット電話等の電話システムであってもよい。【０２０４】  また、携帯電話機又はスマートフォンの通信システムを伝送システム１にて置き換えてもよい。この場合、情報処理装置２０又は伝送端末１０は携帯電話機に相当する。携帯電話機としての情報処理装置２０又は伝送端末１０は、携帯電話機の本体、この本体に設けられた表示ボタン、本体に設けられた表示部、本体に設けられたマイク、本体に設けられたスピーカを備えている。なお、表示部は、タッチパネルになっている。【０２０５】  この場合、例えば、情報処理装置２０又は伝送端末１０は携帯電話回線（基地局からの空中線電力により、主に屋外などの比較的広い範囲をカバーする無線通信を含む）などを介して通信ネットワーク２に接続される。【０２０６】  さらに、図３１に示すように、情報処理装置２０又は伝送端末１０は、カーナビゲーション装置として用いられてもよい。図３１は情報処理装置２０又は伝送端末１０がカーナビゲーション装置として採用された場合のシステム構成図の一例を示す図である。この場合、一方の情報処理装置２０又は伝送端末１０が自動車６０１に搭載されたカーナビゲーション装置２０−２に相当する。他方の情報処理装置２０又は伝送端末１０は、管理センター６０４のコミュニケータが使用する管理端末２０−１、カーナビゲーション装置を管理する管理サーバ６０３、又は、他の自動車６０２に搭載されているカーナビゲーション装置２０−３に相当する。【０２０７】  図３２はカーナビゲーション装置の構成図の一例を示す。カーナビゲーション装置は、装置の全体を制御する制御部６１１、ＧＰＳ受信機６１２、車速センサ６１３、ジャイロセンサ６１４、道路地図データ６１５などを有している。また、制御部６１１には本実施形態の情報処理装置が接続されている。制御部６１１はマイコンなどの情報処理装置であり、プログラムを実行してカーナビゲーション装置としての機能を提供する。ＧＰＳ受信機６１２はＧＰＳ衛星を補足して現在位置の座標を出力する。車速センサ６１３は自動車の速度（車輪の回転速度）を検出するセンサである。ジャイロセンサ６１４は角速度を検出するセンサであり、角速度を積分することで車両の走行方向が検出可能となる。【０２０８】  道路地図データ６１５は、道路をノードとリンクの組み合わせで表したデータであり、外部からダウンロードされても、予め車両が保持していてもよい。道路地図はディスプレイ１２０に表示される。【０２０９】  なお、図示するほかに、音楽やＴＶ放送を出力するオーディオ機能を有していてもよい。また、Ｗｅｂサイトを表示するブラウザ機能を有していてもよい。【０２１０】  制御部６１１は、ＧＰＳ受信機６１２が検出する位置情報に、ジャイロセンサ６１４が検出する走行方向に車速センサ６１３が検出する走行距離を累積する自律航法を適用して自車位置を推定する。自車位置は自車マークなどにより道路地図上に表示される。【０２１１】  カーナビゲーション装置は、情報処理装置２０の機能を利用して、又は、携帯電話機の機能を利用して携帯電話回線などを介して通信ネットワーク２に接続される。【０２１２】  情報処理装置は、ディスプレイ１２０に図１５のような画面を表示するので、乗員はディスプレイ１２０に表示された宛先端末のリストから宛先端末を選択する。ログイン後は、カメラの画像データや音声データを送受信することができる。また、乗員の操作により、情報処理装置は道路地図やＴＶ映像などの表示データを取り込むことができる。この場合、カーナビゲーション装置は表示データを相手端末のカーナビゲーション装置に送信できる。【０２１３】  したがって、搭載場所が移動体になるだけで、オフィス内の情報処理装置２０又は伝送端末１０と同様に画像データ、音声データ及び表示データを送受信できる。【０２１４】  以上、図面を用いて本発明の実施形態を詳細に説明した。なお、上記の記載は、実施形態を理解するためのものであり、実施形態の範囲を限定するものではない。また、上記の複数の実施形態は、相互に排他的なものではない。したがって、矛盾が生じない限り、異なる実施形態の各要素を組み合わせることも意図しており、特許請求の範囲に記載された開示の技術の要旨の範囲内において、種々の変形、変更が可能である。【０２１５】  本国際出願は、２０１３年１２月２５日に出願した日本国特許出願２０１３−２６７９８３号に基づく優先権を主張するものであり、２０１３−２６７９８３号の全内容をここに本国際出願に援用する。
【符号の説明】
【０２１６】  １  伝送システム  ２  通信ネットワーク  １０（１０ｂａ，１０ｂｂ，１０ｄａ，１０ｄｂ）  伝送端末  １４ａ  撮像部  １４ｂ  画像表示制御部  １４ｃ  表示データ取得部  １８    透過表示制御部  ２０（２０ａａ，２０ａｂ，２０ｃａ，２０ｃｂ）  情報処理装置  ３０（３０ａ，…，３０ｄ）  中継装置  ４０（４０ａａ，…，４０ｄｂ）  外部入力装置  ５０    伝送管理システム  １２０，２１６ディスプレイ  １４１  指示情報取得部  １４２  表示データ作成部
【先行技術文献】
【特許文献】
【０２１７】
【特許文献１】特開２０１１−２５４４４２号公報
【図１】
2015098841.tif 000003
【図２】
2015098841.tif 000004
【図３】
2015098841.tif 000005
【図４】
2015098841.tif 000006
【図５Ａ】
2015098841.tif 000007
【図５Ｂ】
2015098841.tif 000008
【図５Ｃ】
2015098841.tif 000009
【図６】
2015098841.tif 000010
【図７】
2015098841.tif 000011
【図８】
2015098841.tif 000012
【図９】
2015098841.tif 000013
【図１０】
2015098841.tif 000014
【図１１】
2015098841.tif 000015
【図１２】
2015098841.tif 000016
【図１３】
2015098841.tif 000017
【図１４】
2015098841.tif 000018
【図１５】
2015098841.tif 000019
【図１６】
2015098841.tif 000020
【図１７】
2015098841.tif 000021
【図１８】
2015098841.tif 000022
【図１９】
2015098841.tif 000023
【図２０】
2015098841.tif 000024
【図２１】
2015098841.tif 000025
【図２２】
2015098841.tif 000026
【図２３】
2015098841.tif 000027
【図２４】
2015098841.tif 000028
【図２５】
2015098841.tif 000029
【図２６】
2015098841.tif 000030
【図２７】
2015098841.tif 000031
【図２８】
2015098841.tif 000032
【図２９】
2015098841.tif 000033
【図３０】
2015098841.tif 000034
【図３１】
2015098841.tif 000035
【図３２】
2015098841.tif 000036
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
ネットワークを介して他の装置と通信可能な情報処理装置であって、
当該情報処理装置が有する表示装置又は当該情報処理装置と接続され得る表示装置に画像を表示する表示手段と、
前記表示装置の画面に表示される画像である画像データを前記他の装置に送信する送信手段と、
前記送信手段が前記他の装置に前記画像データを送信する場合、前記表示手段による前記表示装置への画像の表示に伴う処理の負荷を低減する低減手段と、を有し、
前記表示手段は、前記表示装置の画面の内に位置する表示領域に表示される画像を透過的に表示する透過表示と、前記表示領域に表示される該画像を透過させない非透過表示のいずれかで前記表示装置に画像を表示するものであり、
前記低減手段は、前記送信手段が前記他の装置に前記画像データを送信する場合、前記表示手段によって前記表示領域に表示される前記画像の表示状態を前記透過表示から前記非透過表示に切り替える、ことを特徴とする情報処理装置。
【請求項２】
前記表示手段は、前記処理の負荷が異なる複数の表示状態のいずれかで前記表示装置に画像を表示するものであり、
前記低減手段は、前記送信手段が前記他の装置に前記画像データを送信する場合、前記表示手段によって前記表示装置に表示される前記画像の表示状態を、第一の表示状態から前記第一の表示状態に伴う第一の負荷よりも低い第二の負荷を伴う第二の表示状態に切り替える、ことを特徴とする請求項１に記載の情報処理装置。
【請求項３】
前記表示装置の画面の全体に表示される第１画像である第１画像データを取得するか、前記表示領域の第２画像の第２画像データを取得するかの設定を行う設定手段を有し、
前記低減手段は、前記設定手段が前記表示装置の画面の全体に表示される第１画像である第１画像データを取得する設定を行った場合、前記表示手段による画像の表示に伴う前記処理の負荷を低減せず、
前記設定手段が前記表示領域の画像の第２画像データを取得するという設定を行う場合、前記表示手段による画像の表示に伴う前記処理の負荷を低減する、
ことを特徴とする請求項１に記載の情報処理装置。
【請求項４】
前記低減手段は、表示内容の一部が前記表示装置の画面の領域外に存在する場合、前記表示手段による前記表示装置への画像の表示に伴う前記処理の負荷を低減する、
ことを特徴とする請求項１に記載の情報処理装置。
【請求項５】
前記低減手段は、前記表示手段による前記表示装置への画像の表示に伴う前記処理の負荷を低減した場合、該処理の負荷を低減した旨の情報を前記表示装置に表示する、
ことを特徴とする請求項１〜４のいずれか１項に記載の情報処理装置。
【請求項６】
前記表示装置に表示された画像である第３画像データを取得する取得手段をさらに有し、
前記低減手段は、前記送信手段が前記他の装置に前記第３画像データを送信する場合、前記表示手段により前記表示装置に表示された画像である前記第３画像データの前記取得手段による取得に伴う前記処理の負荷を低減することを特徴とする請求項１に記載の情報処理装置。
【請求項７】
前記取得手段は、前記第３画像データにポインティングデバイスの画像を合成する取得手段であり、
前記低減手段は、前記送信手段が前記他の装置に前記第３画像データを送信する場合、前記他の装置に前記第３画像データを送信しない場合よりも、前記取得手段による前記画像データの取得頻度を低減させる、
ことを特徴とする請求項６に記載の情報処理装置。
【請求項８】
前記取得手段は、取得した前記第３画像データにポインティングデバイスの画像を合成するものであり、
前記送信手段が前記第３画像データを前記他の装置に送信しない場合、前記取得手段は、取得した前記第３画像データにポインティングデバイスの画像を合成し、
前記送信手段が前記第３画像データを前記他の装置に送信する場合、前記取得手段は、取得した前記第３画像データにポインティングデバイスの画像を合成しない、ことを特徴とする請求項６又は７に記載の情報処理装置。
【請求項９】
ネットワークを介して複数の情報処理装置が通信可能な情報処理システムであって、
第１の情報処理装置は、
前記第１の情報処理装置が有する表示装置又は前記第１の情報処理装置と接続され得る表示装置に画像を表示する表示手段と、
前記表示装置の画面に表示される画像である画像データを第２の情報処理装置に送信する送信手段と、
前記送信手段が第２の情報処理装置に前記画像データを送信する場合、前記表示手段による前記表示装置への画像の表示に伴う処理の負荷を低減する低減手段と、を有し、
前記表示手段は、前記表示装置の画面の内に位置する表示領域に表示される画像を透過的に表示する透過表示と、前記表示領域に表示される該画像を透過させない非透過表示のいずれかで前記表示装置に画像を表示するものであり、
前記低減手段は、前記送信手段が前記第２の情報処理装置に前記画像データを送信する場合、前記表示手段によって前記表示領域に表示される前記画像の表示状態を前記透過表示から前記非透過表示に切り替え、
前記第２の情報処理装置は、
前記画像データを受信する画像データ受信手段と、
前記画像データを第２の表示装置に表示する画像データ表示手段と、
を有することを特徴とする情報処理システム。
【請求項１０】
前記表示手段は、前記処理の負荷が異なる複数の表示状態のいずれかで前記表示装置に画像を表示するものであり、
前記低減手段は、前記送信手段が前記第２の情報処理装置に前記画像データを送信する場合、前記表示手段によって前記表示装置に表示される画像の表示状態を、第一の表示状態から前記第一の表示状態に伴う第一の負荷よりも低い第二の負荷を伴う第二の表示状態に切り替える、ことを特徴とする請求項９に記載の情報処理システム。
【請求項１１】
前記表示手段は、前記表示装置の画面の内に位置する表示領域に表示される画像を透過的に表示する透過表示と、前記表示領域に表示される画像を透過させない非透過表示のいずれかで前記表示装置に画像を表示するものであり、
前記低減手段は、前記送信手段が前記第２の情報処理装置に前記画像データを送信する場合、前記表示手段によって前記表示領域に表示される画像の表示状態を前記透過表示から前記非透過表示に切り替える、
ことを特徴とする請求項９又は１０に記載の情報処理システム。
【請求項１２】
ネットワークを介して他の装置と通信可能な情報処理装置に、
当該情報処理装置が有する表示装置又は当該情報処理装置と接続され得る表示装置に画像を表示する表示ステップと、
前記表示装置の画面に表示される画像である画像データを前記他の装置に送信する送信ステップと、
前記送信ステップにより前記他の装置に前記画像データが送信される場合、前記表示ステップによる前記表示装置への画像の表示に伴う処理の負荷を低減する低減ステップと、を実行させるプログラムであって、
前記表示ステップは、前記表示装置の画面の内に位置する表示領域に表示される画像を透過的に表示する透過表示と、前記表示領域に表示される画像を透過させない非透過表示のいずれかで前記表示装置に画像を表示するステップであり、
前記送信ステップにより前記他の装置に前記画像データを送信する場合、前記低減ステップは、前記表示ステップによって前記表示領域に表示される画像の表示状態を前記透過表示から前記非透過表示に切り替えるプログラム。
【請求項１３】
前記表示ステップは、前記処理の負荷が異なる複数の表示状態のいずれかで前記表示装置に画像を表示するステップであり、
前記送信ステップにより前記他の装置に前記画像データを送信する場合、前記低減ステップは、前記表示ステップによって前記表示装置に表示される画像の表示状態を、第一の表示状態から前記第一の表示状態に伴う第一の負荷よりも低い第二の負荷を伴う第二の表示状態に切り替える、ことを特徴とする請求項１２に記載のプログラム。
【手続補正２】
【補正対象書類名】明細書
【補正対象項目名】０００７
【補正方法】変更
【補正の内容】
【０００７】
本発明は、ネットワークを介して他の装置と通信可能な情報処理装置であって、当該情報処理装置が有する表示装置又は当該情報処理装置と接続され得る表示装置に画像を表示する表示手段と、前記表示装置の画面に表示される画像である画像データを前記他の装置に送信する送信手段と、前記送信手段が前記他の装置に前記画像データを送信する場合、前記表示手段による前記表示装置への画像の表示に伴う処理の負荷を低減する低減手段と、を有し、前記表示手段は、前記表示装置の画面の内に位置する表示領域に表示される画像を透過的に表示する透過表示と、前記表示領域に表示される該画像を透過させない非透過表示のいずれかで前記表示装置に画像を表示するものであり、前記低減手段は、前記送信手段が前記他の装置に前記画像データを送信する場合、前記表示手段によって前記表示領域に表示される前記画像の表示状態を前記透過表示から前記非透過表示に切り替える、ことを特徴とする。
【国際調査報告】
2015098841.tif 000037
2015098841.tif 000038
2015098841.tif 000039
2015098841.tif 000040